(57)【要約】消費者製品などの内容物を収容するために好適な容器システムは、容器本体（２）と、ヒンジ付き蓋（４）及び固定部材（３０）を含む閉鎖システムと、を備える。蓋（４）は、固定部材（３０）上に位置付けられた第１及び第２のボタン（３１、３２）が、それぞれの第１の部分からそれぞれの第２の位置へ移動されるときに開放可能であり、それによって、第１の係着部材を相補的な第２の係着部材から係合解除する。
2020516551.tif 000002
【特許請求の範囲】
【請求項１】
容器システムであって、
内部容積を画定する壁、及び前記内部容積へのスルーアクセスを提供する開口部、を含む、容器本体と、
前記開口部を覆う閉鎖位置と前記内部容積へのアクセスを可能にする開放位置との間で選択的に移動可能であるヒンジ付き蓋を含む、閉鎖システムであって、
少なくとも第１の係着部材が相補的な係着部材に係合されるときに、前記ヒンジ付き蓋が、前記閉鎖位置に維持される、閉鎖システムと、
前記本体と非一体的であり、かつ前記蓋と非一体的である固定部材であって、
前記固定部材が、第１のボタン、及び前記第１のボタンから離間して配置されているが、前記第１のボタンに接合されている、第２のボタンを含み、
前記第１及び第２のボタンの各々が、それぞれの第１の位置に付勢され、
各々が、それぞれの第２の位置に移動可能であり、
前記第１及び第２のボタンがそれらのそれぞれの第２の位置に同時にあるときに、前記蓋は、少なくとも前記第１の係着部材が前記相補的な係着部材から係合解除されるため、前記閉鎖位置から前記開放位置に移動することができる、固定部材と、を備える、容器システム。
【請求項２】
前記容器システムが、フレームを更に備え、前記フレームが、前記容器本体に接続可能であり、かつ前記蓋にヒンジ式に接続可能であり、前記固定部材が、前記フレームとも非一体的であり、好ましくは、前記固定部材が、前記フレームに固定されている、請求項１に記載の容器システム。
【請求項３】
前記第１のボタン及び前記第２のボタンは、前記それぞれの第１の位置にあるときに、５０ｍｍ〜１５０ｍｍの距離だけ離間して配置されている、請求項１及び２のいずれか一項に記載の容器システム。
【請求項４】
前記ボタンが各々前記それぞれの第２の位置にあるときの、前記第１及び第２のボタンの間の距離は、前記ボタンが各々前記それぞれの第１の位置にあるときの、前記ボタン間の距離よりも小さい、請求項１〜３のいずれか一項に記載の容器システム。
【請求項５】
前記第１及び第２のボタンが両方とも、前記容器本体の前壁の付近にある、請求項１〜４のいずれか一項に記載の容器システム。
【請求項６】
前記固定部材は、前記ヒンジ付き蓋が周りで回転可能に開放するヒンジ軸に対して実質的に平行である、請求項１〜５のいずれか一項に記載の容器システム。
【請求項７】
ばねシステムが、前記第１及び第２のボタンをそれらのそれぞれの第１の位置に弾性的に付勢し、好ましくは、前記ばねシステムが、前記第１のボタンをその第１の位置に弾性的に付勢し、かつ前記第２のボタンをその第１の位置に独立して弾性的に付勢する、請求項１〜６のいずれか一項に記載の容器システム。
【請求項８】
前記ばねシステムが、前記固定部材の一部であり、好ましくは、前記固定部材の一体的にその一部である、請求項７に記載の容器システム。
【請求項９】
前記第１及び第２のボタンを前記第１の位置及び第２の位置からそれぞれ移動させることが、前記蓋又は前記本体を変形させない、請求項１〜８のいずれか一項に記載の容器システム。
【請求項１０】
前記第２のボタンが、第２の係着部材に動作可能に接続されている、請求項１〜９のいずれか一項に記載の容器システム。
【請求項１１】
前記第１及び第２の部材が、外側縁部を各々含み、前記第１及び第２のボタンがそれらのそれぞれの第１の位置にあるときに、前記第１の係着部材の前記外側縁部と前記第２の係着部材の前記外側縁部との間の距離が、１０ｍｍ〜６０ｍｍである、請求項１〜１０のいずれか一項に記載の容器システム。
【請求項１２】
前記第１の係着部材が、前記第１のボタンと前記第２の係着部材との間に位置付けられ、好ましくはまた、前記第２の係着部材が、前記第１の係着部材と前記第２のボタンとの間に位置付けられている、請求項１１に記載の容器システム。
【請求項１３】
前記第２の係着部材が、第２の相補的な係止部材と選択的に係合可能であり、
前記第１のボタンをそのそれぞれの第１の位置からそのそれぞれの第２の位置へ移動させることが、前記第１の係止部材と前記第１の相補的な係止部材との係合解除をもたらし、
前記第２のボタンをそのそれぞれの第１の位置からそのそれぞれの第２の位置へ移動させることが、前記第２の係止部材と前記第２の相補的な係止部材との係合解除をもたらす、請求項１１に記載の容器システム。
【請求項１４】
前記容器システムが、前記蓋を前記開放位置に向けて付勢する付勢システムを備え、好ましくは、前記付勢システムが、弾性部材を含み、より好ましくは、前記蓋が前記閉鎖位置にあるときに、前記閉鎖システム上に位置付けられた突出部が、前記弾性部材を弾性的に変形させる、請求項１〜１３のいずれか一項に記載の容器システム。
【請求項１５】
前記内部容積が、消費者製品、殺虫剤、塗料、溶媒、工業用化学物質、工業用ハードウェア、薬剤、ピル、食品、及びこれらの組み合わせからなる群から選択される内容物、好ましくは消費者製品、より好ましくは家庭用ケア製品を含み、更により好ましくは、前記家庭用ケア製品が、布地ケア処理組成物、食器洗剤組成物、又はこれらの混合物からなる群から選択される家庭用ケア組成物を含み、任意に、前記家庭用ケア製品が、水溶性単位用量物品の形態である、請求項１〜１４のいずれか一項に記載の容器システム。
【発明の詳細な説明】
【技術分野】
【０００１】
本開示は、容器システム、閉鎖システム、及び関連する方法に関する。
【背景技術】
【０００２】
単位用量洗剤パウチなどの特定の消費者製品は、しばしば、安全な閉鎖システムを有する容器で販売及び保管される。閉鎖システムは、容器の意図しない開放を防止又は阻止することを意図している。このような閉鎖システムを動作させるために、ユーザは、１回で又は特定の順序で、２つの別々のアクションを実施することなどによって、特定の様式で閉鎖システムを操作する必要があり得る。使用が安全であると同時に直感的である閉鎖システムを設計することは困難である。
【０００３】
多くの安全な閉鎖システムでは、システムを係止解除及び開放するために、例えば、タブ若しくはラッチを押し、又は引っ張ることによって、蓋及び／又は蓋の周囲のフレームを直接操作及び変形させる必要がある。しかしながら、繰り返し使用すると、蓋及び／又はフレームは、恒久的な変形又は損失又は弾力性を被ることがあり、その結果、係止の安全性が低下し、かつ／又は偶発的に開放する可能性が高くなる。
【０００４】
更に、動作するために複数のアクションを必要とする閉鎖システムは、しばしば、複数の部品を含むことがある。そのようなシステムは、製造業者が組み立てるのに費用がかかり、かつ／又は困難であり得る。製造及び／又は組み立てが比較的容易である、効果的な閉鎖システムが必要とされている。
【０００５】
加えて、製品製造業者は、審美的に満足できる梱包で自社の製品を販売することを好む。しかしながら、有効な閉鎖システムは、非常に機能的であり、しばしば、見苦しい。したがって、容器システムに十分に一体化された安全な閉鎖システムを提供することが望ましい。
【発明の概要】
【発明が解決しようとする課題】
【０００６】
上述した必要性のうちの１つ以上に対処する容器システム及び／又は閉鎖システムが必要とされている。
【課題を解決するための手段】
【０００７】
本開示は、容器システム、閉鎖システム、及び関連する方法に関する。
【０００８】
例えば、本開示は、容器システムであって、内部容積を画定する壁、及び内部容積へのスルーアクセスを提供する開口部、を含む、容器本体と、開口部を覆う閉鎖位置と内部容積へのアクセスを可能にする開放位置との間で選択的に移動可能であるヒンジ付き蓋を含む閉鎖システムであって、少なくとも第１の係着部材が相補的な係着部材に係合されるときに、ヒンジ付き蓋は、閉鎖位置に維持される、閉鎖システムと、本体と非一体的であり、かつ蓋と非一体的である固定部材であって、固定部材が、第１のボタン、及び第１のボタンから離間して配置されているが、第１のボタンに接合されている第２のボタンを含み、第１及び第２のボタンの各々が、それぞれの第１の位置に対して付勢され、各々が、それぞれの第２の位置へ移動可能であり、第１及び第２のボタンが、それらのそれぞれの第２の位置に同時にあるときに、蓋は、少なくとも第１の係着部材が相補的な係着部材から係合解除されるため、閉鎖位置から開放位置へ移動することができる、固定部材と、を含む、容器システムに関する。容器システムは、家庭用ケア製品などの消費者製品を内部容積内に収容してもよい。
【０００９】
本開示はまた、容器システムであって、内部容積を画定する壁、内部容積へのスルーアクセスを提供する開口部、を含む容器本体と、閉鎖位置と開放位置との間で選択的に移動可能であるヒンジ付き蓋を含む閉鎖システムであって、蓋は、閉鎖位置にあるときに、内部容積へのアクセスを効果的に阻止し、開放位置にあるときに、内部容積へのアクセスを効果的に可能にする、閉鎖システムと、本体と非一体的であり、かつ蓋と非一体的である固定部材を含む係止システムであって、固定部材が、第１のボタン、及び第１のボタンから離間して配置されている第２のボタンを含み、第１及び第２のボタンの各々が、第１の位置を有し、第１及び第２のボタンの各々が、第２の位置へ移動可能であり、第１及び第２のボタンの各々が、それらのそれぞれの第１の位置に弾性的に付勢され、第１のボタンが、第１及び第２のボタンの間に実質的に位置付けられている第１の係着部材に動作可能に接続され、第１の係着部材が、相補的な係止部材に選択的に係合可能であり、第１の係着部材と相補的な係着部材とが係合されるときに、蓋は、閉鎖位置に維持され、第１及び第２のボタンの両方がそれぞれの第１の位置からそれぞれの第２の位置へ移動されるときに、蓋は、閉鎖位置から開放位置へ移動可能であり、このことが第１の係着部材と相補的な係止部材との係合解除をもたらす、係止システムと、を含む、容器システムにも関する。
【００１０】
本開示はまた、容器システムを開放する方法にも関し、方法は、本明細書に記載されるような容器システムを提供することと、ボタンがそれらのそれぞれの第２の位置に同時に位置付けられるように、第１のボタン及び第２のボタンを移動させることと、ヒンジ付き蓋を開放することと、任意に内部容積内に保管された内容物にアクセスすることと、を含む。
【００１１】
本開示はまた、容器本体の開放端への取り付けに好適な閉鎖システムであって、閉鎖システムが、蓋と、フレームと、固定部材と、を含み、フレームが、容器本体の開放端に取り付けられるように構成され、フレームが、外側周辺部及び内側周辺部を有し、内側周辺部が、フレーム開口部を画定し、蓋が、フレームにヒンジ式に接続され、蓋が、閉鎖位置と開放位置との間で選択的に移動可能であり、蓋が、閉鎖位置にあるときに、フレーム開口部を効果的に覆い、開放位置にあるときに、フレーム開口部を通るアクセスを効果的に可能にし、固定部材が、フレームと非一体的であり、かつ蓋と非一体的であり、固定部材が、フレーム及び／又は蓋のうちの少なくとも一方に接続され、固定部材が、第１のボタン、及び第１のボタンから離間して配置されている第２のボタンを含み、第１及び第２のボタンの各々が、それぞれの第１の位置からそれぞれの第２の位置へ移動可能であり、第１及び第２のボタンの各々が、それぞれの第１の位置を弾性的に付勢され、第１のボタンが、第１及び第２のボタンの間に実質的に位置付けられている第１の係着部材に動作可能に接続され、第１の係着部材が、相補的な係止部材に選択的に係合可能であり、第１の係止部材と相補的な係止部材とが係合されるときに、蓋は、閉鎖位置に維持され、第１及び第２のボタンの両方がそれぞれの第１の位置からそれぞれの第２の位置へ移動されるときに、蓋は、閉鎖位置から開放位置へ移動可能であり、このことが第１の係止部材と相補的な係止部材との係合解除をもたらす、閉鎖システムにも関する。
【図面の簡単な説明】
【００１２】
本明細書の図面は、事実上例示的なものであり、限定的であることを意図したものではない。
【図１】蓋が開放位置にある、本開示による容器システムを示す。
【図２】蓋が閉鎖位置にある、本開示による容器システムを示す。
【図３】線Ｄ−Ｄに沿って見た図２の容器システムの断面図を示す。
【図４】本開示による閉鎖システムを示す。
【図５】本開示による固定部材の上面図を示す。
【図６】本開示による固定部材の背面斜視図を示す。
【図７】本開示による固定部材の底面斜視図を示す。
【図８】本開示によるフレームの背面上面斜視図を示す。
【図９】本開示によるフレームの正面底面斜視図を示す。
【図１０】図１の部分Ｃ、ばねシステム、及びその周囲領域の拡大図を示す。
【図１１】容器の背面から見た図１０に示されるものと実質的に同じ部分の図を示す。
【図１２】図１の部分Ａの拡大図、蓋の相補的な係着部材を示す。
【図１３】固定システムの係着部材が蓋の相補的な係着システムに係合されている、図３の断面部分Ｅの拡大図を示す。
【図１４】第１及び第２のボタンが第１の位置にあるときの、固定部材、その係着部材、及び蓋上の相補的な係着部材の相互作用の概略上面図を示す。
【図１５】図１４のものと同様の概略図を示すが、第１及び第２のボタンは、それらのそれぞれの第２の位置にある。
【図１６】付勢システムの図１の部分Ｂの拡大図を示す。
【図１７】本開示による代表的な弾性部材を示す。
【図１８】付勢システムの構成を示す。
【図１９】付勢システムの構成を示す。
【図２０】付勢システムの構成を示す。
【図２１】付勢システムの構成を示す。
【図２２】図３の部分Ｆに位置付けられている付勢システムの断面図を示す。
【図２３】図３の部分Ｆに位置付けられている場合の、代替の付勢システムの断面図を示す。
【図２４】不正開封防止機構を含む、本開示による容器システムを示す。
【図２５】固定部材が容器本体に固定されている、本開示による容器システムを示す。
【図２６】固定部材が蓋に固定されている、本開示による容器システムを示す。
【図２７】固定部材が蓋に固定されている、本開示による容器システムを示す。
【図２８】固定部材が代替構成で蓋に固定されている、本開示による容器システムを示す。
【図２９】本開示による単位容量物品を示す。
【発明を実施するための形態】
【００１３】
本開示は、容器システム、閉鎖システム、及び関連する方法に関する。より具体的には、本開示の閉鎖システムは、閉鎖システムを開放するために、例えば、それらを互いに向かって摺動させることによって動作しなければならない、少なくとも２つのボタンを含んでもよい。２つのボタンは、成人の片手によって操作されてもよく、便利かつ直感的な操作性が提供される。閉鎖システムはまた、１つのボタンのみが動作される場合、及び／又はボタンが同時に動作されない場合、閉鎖システムが安全に閉鎖されたままであるように構成されてもよい。
【００１４】
２つのボタンは、閉鎖システムの残りの部分に接続することができ、またばねシステムを更に含み得る、単一の、好ましくはモノリシックな固定部材の一部であってもよい。固定部材が少なくとも２つのボタン（及び任意に、ばねシステム）を有する単一部品である場合、閉鎖システムは、別々のボタンを有するシステムと比較してより便利に組み立てることができる。
【００１５】
更に、本体、蓋、及び／又はフレームとは異なる作動可能な固定部材を有することが有利であり得る。固定部材が、直接操作される容器システムの一部である別々の部品である場合、それは、本体、蓋、及び／又はフレーム上での摩耗及び引き裂きを防ぐことができ、そのため、それらは、変形されず、弱化されず、又は別様に、繰り返される使用の過程でより容易に不安定にされる。
【００１６】
本開示の容器システム、閉鎖システム、及び関連する方法を以下により詳細に記載する。
【００１７】
本明細書で使用するとき、特許請求の範囲で使用されるときの「ａ」及び「ａｎ」という冠詞は、特許請求又は記載されているもののうちの１つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１８】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１９】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００２０】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００２１】
本明細書における全ての温度は、特に断らない限り、摂氏（℃）を単位とする。特に指示がない限り、本明細書における全ての測定は、２０℃及び大気圧下で行う。
【００２２】
本開示の全ての実施形態において、全ての比率（％）は、特に記載のない限り、全組成物の重量に対するものである。特に記載のない限り、全ての比は重量比である。
【００２３】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２４】
容器システム
本開示は容器システムに関する。図１は、本開示による例示的な容器システム１を示す。容器システム１は、容器本体２と、閉鎖システム３と、を含んでもよい。
【００２５】
容器本体２は、剛性材料で作製されてもよく、かつ／又はタブの形態であってもよく、剛性材料は、ある程度の変形又は屈曲を可能にし得る。容器本体２は、可撓性材料で作製されてもよく、かつ／又はバッグの形態であってもよい。任意の好適なポリオレフィン及び／又はポリエステルを使用することができる。本体２及び／又は閉鎖システム３、両方、又はその一部分は、ポリエチレンテレフタレート（ＰＥＴ）、ポリプロピレン（ＰＰ）、ポリエチレン（ＰＥ）、ポリスチレン（ＰＳ）、アクリロニトリルブタジエンスチレン（ＡＢＳ）、ポリエステル、ポリ塩化ビニル、ポリカーボネート、若しくはエラストマー、又はこれらの材料のブレンドなどの成形可能な熱可塑性材料から部分的に又は全体的に形成されてもよい。容器本体２及び／又は閉鎖システム３は、積層された材料を含んでもよく、例えば、可撓性バッグ本体は、ＰＥＴ及びＰＥの層を含む多層材料を含んでもよい。容器システム１又はその部分は、明澄、透明、半透明、又は不透明な材料で部分的又は全体的に形成されてもよい。容器システムを形成するために使用される材料は、１種類以上の色を有してもよい。
【００２６】
容器本体２は、任意の好適な形状、例えば、実質的に矩形のプリズム又は円筒であってもよい。容器本体２は、壁を含んでもよい。
【００２７】
容器本体は、前壁１０と、後壁１１と、側壁１２、１３と、底壁１４と、を含んでもよい。前壁、後壁、及び側壁１０、１１、１２、１３は、容器本体２の閉鎖端を形成するために、近位端で底壁１４に接合されてもよい。容器本体２は、閉鎖端の反対側であり得る開放端を含んでもよい。側壁１２、１３は、角部１５において前壁１０及び後壁１１に接触してもよい。
【００２８】
容器本体２は、Ｘ軸、Ｙ軸、及びＺ軸上に配向されてもよい。底壁１４は、Ｘ軸及びＺ軸によって形成される平面に対して実質的に平行であってもよい。前壁及び後壁１０、１１は、Ｘ軸及びＹ軸によって形成される平面に対して実質的に平行であってもよい。側壁１２、１３は、Ｙ軸及びＺ軸によって形成される平面に対して実質的に平行であってもよい。容器本体２及び／又は容器システム１は、Ｘ軸に沿って測定される幅、Ｙ軸に沿って測定される高さ、及び／又はＺ軸に沿って測定される深さによって特徴付けられてもよい。
【００２９】
壁１０、１１、１２、１３、１４のうちの少なくともいくつかは、平坦であってもよい。少なくともいくつかは、平坦でなくてもよい。壁１０、１１、１２、１３、１４のうちの少なくともいくつかは、湾曲していてもよい。壁１０、１１、１２、１３、１４のうちの少なくともいくつかは、凸状であってもよい。壁１０、１１、１２、１３、１４のうちの少なくともいくつかの部分は、凹状であってもよい。前壁、後壁、及び側壁１０、１１、１２、１３は、実質的に正方形、矩形、楕円形、又は八角形の断面形状を形成してもよい。
【００３０】
前壁、後壁、及び／又は側壁１０、１１、１２、１３は、底壁１４から離れる方向に上方に延在してもよい。前壁、後壁、及び／又は側壁１０、１１、１２、１３は、底壁１４と実質的に直交してもよい。前壁、後壁、及び／又は側壁１０、１１、１２、１３は、容器本体２の中心軸２１から外方に突出してもよい。
【００３１】
壁１０、１１、１２、１３、１４は、容器本体の内部容積１７を画定してもよい。内部容積１７は、所望の内容物を適切に収容するように選択されてもよい。内部容積１７は、少なくとも約０．５Ｌ、又は少なくとも約１Ｌ、又は少なくとも約２Ｌ、又は少なくとも約３Ｌ、又は少なくとも約４Ｌ、又は少なくとも約５Ｌ、又は少なくとも約６Ｌの容積を有してもよい。内部容積１７は、約１００Ｌ以下、又は約５０Ｌ以下、又は約１０Ｌ以下、又は約８Ｌ以下、又は約６Ｌ以下、又は約５Ｌ以下、又は約４Ｌ以下、又は約２Ｌ以下、又は約１Ｌ以下の容積を有してもよい。内部容積１７は、約０．５Ｌ〜約５Ｌの容積を有してもよい。
【００３２】
壁１０、１１、１２、１３は、内部容積１７へのスルーアクセスを提供する開口部１６を画定してもよい。開口部１６は、容器本体２の底壁１４及び／又は閉鎖端の反対側にあってもよい。開口部１７は、前壁、後壁、及び／又は側壁１０、１１、１２、１３の遠位端によって画定されてもよい。
【００３３】
図１に示すように、閉鎖システム３は、ヒンジ付き蓋４を含んでもよい。ヒンジ付き蓋４は、図１に示すような開放位置と、図２に示すような閉鎖位置と、を有してもよい。蓋４は、蓋４が閉鎖位置にあるときに、内部容積１７へのアクセスを効果的に阻止し得る。蓋４は、蓋４が開放位置にあるときに、内部容積へのアクセスを効果的に可能にし得る。ヒンジ付き蓋４は、閉鎖位置と開放位置との間で、選択的に移動可能であってもよい。ヒンジ付き蓋は取り外し不可で、後で置き忘れることがないため、ヒンジ付き蓋４は、取り外し可能な蓋よりも有利であり得、これは、容器システム１の内容物が、例えば、感水性である場合、及び／又は安全に保管されるべき家庭用化学物質を含む場合に、特に関連し得る。
【００３４】
蓋４は、閉鎖位置と開放位置との間で、回転可能に移動可能であってもよい。蓋４は、ヒンジ軸３６の周りを回転してもよい。ヒンジ軸３６は、Ｘ軸と実質的に平行であってもよい。閉鎖位置にある蓋４の位置、及び開放位置にある蓋４の位置によって所定の角度が形成されてもよい。所定の角度は、約９０°〜約２７０°、好ましくは約９０°〜約１８０°、より好ましくは約１１０°〜約１５０°、又は約１１０°〜約１３５°であってもよい。理論に束縛されるものではないが、蓋４が開放位置においてそのような角度にあるときに、使用後に蓋４を再度閉鎖することをユーザに想起させる、視覚的合図を提供することができると考えられる。更に、蓋４が９０°を超える所定の角度に開放されると、タブは、より大きい２Ｄ設置面積を取ることがあり、このことは、ユーザが保管のために片付けることをより困難にすることがあり、また、ユーザに蓋を再度閉鎖することを想起させるための合図としても機能することができる。そのような合図は、容器システム内に保持された内容物が、例えば、水、光、汚れなどに敏感である場合に特に有用であり得る。そのような位置はまた、ブランド化、指示、又は安全情報などの、蓋４の内面上に位置付けられている情報をユーザに表示するのに有用であり得る。
【００３５】
閉鎖システム３は、フレーム５を更に含んでもよい。フレーム５は、容器本体２に、及び蓋４に接続可能であってもよい。フレーム５は、蓋４にヒンジ式に接続可能であってもよい。
【００３６】
容器システムは、係止システムを含んでもよい。係止システムは、少なくとも１つの固定部材３０を含んでもよい。固定部材３０は、単一の部品であってもよく、及び／又は本質的にモノリシックであってもよい。固定部材３０は、互いに接合され得る、複数の部品（例えば、ボタン及びばね）を含んでもよい。固定部材３０は、容器本体２、蓋４、及び／又はフレーム５と非一体的であってもよい。固定部材３０は、容器本体２とは別々であるが、容器本体２に、蓋４に、及び／又はフレーム５に接続されてもよい。図１の容器システム１で構成されるように、固定部材３０は、フレーム５に接続されているが、フレーム５とは非一体的である。
【００３７】
固定部材３０又はその部品は、容器システム１の周囲部分、例えば、フレーム５及び／又は蓋４と対照的な色を有してもよい。色の対照は、ユーザの視覚的注意を引くことができ、システムを開放するために動作させる必要がある、容器システム１の領域を知らせることができる。
【００３８】
固定部材３０は、第１のボタン３１と、第１のボタン３１から離間して配置されている第２のボタン３２と、を含んでもよい。第１及び第２のボタン３１、３２の各々は、第１の位置を有する。第１及び第２のボタン３１、３２の各々は、第２の位置に移動可能である。第１及び第２のボタン３１、３２の各々は、それらのそれぞれの第１の位置に弾性的に付勢される。ばねシステム３３は、第１及び第２のボタン３１、３２をそれらのそれぞれの第１の位置に弾性的に付勢してもよい。
【００３９】
第１のボタン３１は、第１の係着部材５０に動作可能に接続されてもよい。第１の係着部材５０は、固定部材３０の一体部品であってもよい。第１の係止部材５０は、実質的に第１及び第２のボタン３１、３２の間に位置付けられてもよい。第１の係着部材５０は、相補的な係止部材５２と選択的に係合可能であってもよい。相補的な係止部材５２は、蓋４上に位置付けられてもよい。第１の係止部材５０と相補的な係止部材５２とが係合されるときに、蓋４は、閉鎖位置に維持されてもよい。蓋４は、第１及び第２のボタン３１、３２の両方がそれぞれの第１の位置からそれぞれの第２の位置へ移動されるときに、閉鎖位置から開放位置へ移動可能であってもよく、このことが、第１の係止部材５０と相補的な係止部材５２との係合解除をもたらす。
【００４０】
図２は、閉鎖システム３の蓋４が閉鎖位置にある、例示的な容器システム１を示す。蓋４は、上面３４を有してもよい。フレーム５は、上側面３５を有してもよい。フレーム５の上側面３５は、蓋４が閉鎖位置にあるときに、蓋４の上面３４と実質的に同一平面上にあってもよく、それによって、積み重ね容器システムに寄与し得る比較的平滑な表面を提供する。
【００４１】
容器システム１は、ヒンジ３６を含んでもよく、その周りで、蓋４は、開放及び閉鎖位置の間でヒンジ式に回転することができる。ヒンジ３６は、リビングヒンジであってもよく、又はピンを含んでもよい。ヒンジ３６は、１つ以上の部分、例えば、２つの部分に存在してもよい。
【００４２】
図１に示すように、蓋４が開放位置にあるときに、固定部材３０は、実質的に視認可能であってもよい。図２及び図３に示すように、蓋４が閉鎖位置にあるときに、蓋４は、固定部材３０の少なくとも一部分を実質的に覆うリップ３７を含んでもよい。固定部材３０の少なくとも一部を覆うことは、充填、封止、保管、及び／又は輸送プロセス中に遭遇し得る様々な衝撃から生じ得る、固定部材３０に対する損傷、又はそれの緩みを最小限に抑え得る。例えば、店舗の棚上で販売のために提示される場合、蓋４が閉鎖位置にあるときに、固定部材３０の少なくとも一部を覆うことはまた、容器システム１の審美性を改善し得る。リップ３７は、外方に（中心軸２１から離れる方向に）及び／又は下方に（底壁１４の平面に向かって）延在するように構成されてもよい。リップ３７は、実質的に湾曲し、かつ／又は凸状であってもよい。リップ３７は、長さが一方の端部８０から反対側の端部８１まで測定される、固定部材３０の長さの少なくとも５０％、又は少なくとも６０％を覆うことができる。
【００４３】
蓋４が閉鎖位置にあるときに、容器システム１は、比較的気密性及び／又は水密性であってもよく、これは、容器システム１が感水性内容物を収容する場合に特に有利であり得る。容器システム１は、シールフランジ、及び／又は密封シールを形成するために相互作用する圧縮性表面などの、気密性及び／又は水密性に寄与する機構を含んでもよい。容器システム１は、プラグシール、ガスケットシール、又はこれらの組み合わせを含んでもよい。容器システム１は、吸湿性材料、例えば、乾燥剤を含んでもよい。蓋４が閉鎖位置にある場合、容器システム１は、３５℃及び相対湿度６５％で、１日当たり、パッケージ表面１平方メートル当たり、約２．０ｇ（ｇ／日／ｍ２）未満、又は約１．０ｇ／日／ｍ２未満、又は約０．７５ｇ／日／ｍ２未満、又は約０．５０ｇ／日／ｍ２未満、又は約０．２５ｇ／日／ｍ２未満の水分蒸気透過度（moisture vapor transfer rate、ＭＶＴＲ）を有することができる。ＡＳＴＭ  Ｄ７７０９に従ってＭＶＴＲを決定する。
【００４４】
図３は、蓋４が閉鎖位置にある、図２の線Ｄ−Ｄに沿って見たときの容器システム１の断面図を示す。図３に示すように、容器本体２の壁１０、１１、１２（図示せず）、１３（図示せず）、１４は、内部容積１７を画定する。底壁１４は、容器本体２の内部容積１７に向かって延在する凹状部分３８を有してもよい。凹状部分３８は、容器本体２に安定性を追加してもよく、他の容器本体との安定した入れ子を容易にし、かつ／又は、これにより、容器システム１の底壁１４と、積み重ねられたときの別の容器システムの上側部分との間の最小の接触をもたらしてもよい。
【００４５】
本開示は更に、閉鎖システム３に関する。閉鎖システム３は、蓋４と、フレーム５と、固定部材３０と、を含んでもよい。本開示の閉鎖システム３は、容器本体に接続されて、容器システム１を形成してもよい。閉鎖システム３は、容器システム１及び／又は容器本体とは独立していてもよい。容器本体から独立して、閉鎖システム３を製造、輸送、及び／又は保管することが有利であり得る。加えて、容器本体の様々な形状又は容積は、単一の閉鎖システム３に適合するようにサイズ決定及び構成されてもよく、このことが、製造の簡素化及び柔軟性をもたらす。
【００４６】
図４は、本開示による閉鎖システム３の正面上面斜視図を示す。図示するように、閉鎖システム３は、蓋４と、フレーム５と、固定部材３０と、を含む。蓋４は、フレーム５にヒンジ式で接続されてもよい。蓋４は、開放位置に示されているが、ヒンジ３６の周りで、フレーム５の開口部１３９を覆うように、閉鎖位置へ移動可能である。フレーム５は、容器本体２に接続することができるように構成され、フレーム５の開口部は、容器本体２の開口部１６と整列されて、そのように接続されるときに容器本体２の内部容積へのスルーアクセスを可能にするように配置される。
【００４７】
固定部材３０は、フレーム５に接続されてもよい。固定部材３０は、第１のボタン３１と、第２のボタン３２と、を含む。ばねシステム３３は、第１及び第２のボタン３１、３２を第１の位置に付勢する。固定部材３０は、ばねシステム３３を含んでもよい。固定部材３０（例えば、ラッチ）上の係着部材５０、５１は、蓋４上の相補的な係着部材５２、５３（例えば、キャッチ）に係合して、蓋４を閉鎖位置に維持することができる。
【００４８】
固定部材３０は、ボタン３１、３２、好ましくはボタン３１、３２及び係着部材５０、５１が、実質的に同じ軸（ここではＸ軸）及び／又は同じ平面（例えば、Ｘ−Ｙ平面）上にあるように構成されてもよい。固定部材３０は、円弧の形状で実質的に構成されてもよい。固定部材３０は、ボタン３１、３２、好ましくはボタン３１、３２及び係着部材５０、５１が容器システム１の同じ表面又は面上に実質的に位置付けられるように構成されてもよい。固定部材３０は、ボタン３１、３２、好ましくはボタン３１、３２及び係着部材５０、５１が、閉鎖システム３（例えば、フレームの前壁４０）の、及び／又は容器システム１（例えば、容器の前壁１０）の同じ表面に同時に隣接するように構成されてもよい。固定部材３０は、ボタン３１、３２、好ましくはボタン３１、３２及び係着部材５０、５１が、容器本体２の壁１０、１１、１２、１３、好ましくは前壁１０と実質的に同じ平面内にあるように構成されてもよい。例えば、図４の閉鎖システム３において、固定部材３０は、ボタン３１、３２及び係着部材５０、５１が、容器本体２の前壁１０と実質的に同じ平面内にあるように構成されている。（図１及び図２も参照）。固定部材３０は、少なくとも５：１、好ましくは少なくとも７：１、より好ましくは少なくとも１０：１のアスペクト比を有してもよく、ここで、固定部材３０の第１の端部６１から第２の端部６２まで、より長い長さが測定される。
【００４９】
閉鎖システム３は、付勢システム６０を含んでもよい。付勢システム６０は、蓋４を開放位置に向かって付勢してもよい。付勢システム６０は、蓋４が閉鎖位置にあるときに変形され、係着係止部材５０、５１及び相補的な係着部材５２、５３が係合解除されるときに、蓋４を開放位置に向かって付勢する弾性部材６１を含んでもよい。
【００５０】
本開示は、例えば、容器本体２の開放端への取り付けに好適な閉鎖システム３であって、閉鎖システム３が、蓋４と、フレーム５と、固定部材３０と、を含み、フレーム５が、容器本体２の開放端に取り付けられるように構成され、フレーム５が、外側周辺部１４０及び内側周辺部１５０を有し、内側周辺部１５０が、フレーム開口部１３９を画定し、蓋４が、フレーム５にヒンジ式に接続され、蓋４が、閉鎖位置と開放位置との間で選択的に移動可能であり、蓋４が、閉鎖位置にあるときに、フレーム開口部１３９を効果的に覆い、開放位置にあるときに、フレーム開口部１３９を通るアクセスを効果的に可能にし、固定部材３０が、フレーム５と非一体的であり、かつ蓋４と非一体的であり、固定部材３０が、フレーム５及び／又は蓋４のうちの少なくとも一方に接続され、固定部材３０が、第１のボタン３１と、第１のボタン３１から離間して配置されている第２のボタン３２と、を含み、第１及び第２のボタン３１、３２の各々が、それぞれの第１の位置からそれぞれの第２の位置へ移動可能であり、第１及び第２のボタン３１、３２の各々が、それぞれの第１の位置を弾性的に付勢され、第１のボタン３１は、第１及び第２のボタン３１、３２の間に実質的に位置付けられている第１の係着部材５０に動作可能に接続され、第１の係着部材５０が、相補的な係止部材５２と選択的に係合可能であり、第１の係止部材５０と相補的な係止部材５２とが係合されるときに、蓋４は、閉鎖位置に維持され、第１及び第２のボタン３１、３２の両方がそれぞれの第１の位置からそれぞれの第２の位置へ移動されるときに、蓋４は、閉鎖位置から開放位置へ移動可能であり、このことが、第１の係止部材５０と相補的な係止部材５２との係合解除をもたらす、閉鎖システム３に関する。第２のボタン３２は、第１及び第２のボタン３１、３２の間に実質的に位置付けられている第２の係着部材５１に動作可能に接続されてもよく、第２の係着部材５１は、相補的な係止部材５３、好ましくは第２の相補的な係止部材に選択的に係合可能である。固定部材３０は、フレーム５に接続されてもよく、相補的な係止部材５２、５３は、蓋４上に位置付けられる。
【００５１】
固定部材３０と、フレーム５と、蓋４と、を含む、本開示による閉鎖システム３の構成要素を、以下により詳細に説明する。
【００５２】
図５は、例示的な固定部材３０の上面図を示し、図６は、その背面斜視図を示す。固定部材３０は、単一の部品であってもよい。固定部材は、本質的にモノリシックであってもよい。
【００５３】
固定部材３０は、第１のボタン３１と、第２のボタン３２と、を含む。第２のボタン３２は、第１のボタン３１から離間して配置されている。第１のボタン３１は、固定部材３０の第１の端部８０に、又はその付近に位置付けられてもよい。第２のボタン３２は、固定部材３０の第２の端部８１に、又はその付近に位置付けられてもよく、第２の端部８１は、第１の端部８０とは反対側にある。第１のボタン３１は、第２のボタン３２に直接的又は間接的に接続又は接合されてもよい。第１及び第２のボタン３１、３２は、同じ成形部品の一部であってもよい。
【００５４】
ボタン３１、３２は、成人のヒトの指によって、好ましくは片手の指によって動作可能であるようにサイズ決定及び構成される。ボタン３１、３２は、指を便利に受容するように構成されてもよく、固定部材３０の動作中に力が加えられ得る１つ以上の表面を含んでもよい。
【００５５】
例えば、ボタン３１、３２は、実質的にＸ−Ｚ平面内にあり得る基部壁８２、８３を含んでもよい。ボタン３１、３２は、基部壁８２、８３から延在する第１の垂直壁８４、８５を含んでもよい。第１の垂直壁８４、８５は、実質的にＸ−Ｙ平面内にあってもよい。ボタン３１、３２は、基部壁８２、８３から延在する第２の垂直壁８６、８７を含んでもよく、第２の垂直壁８６、８７は、実質的にＹ−Ｚ平面内にあってもよい。基部壁８１、８２、第１の垂直壁８４、８５、及び／又は第２の垂直壁８６、８７は、互いに実質的に直交してもよい。ボタン３１、３２の壁８１、８２、８３、８４、８５、８６、８７は、平坦であってもよく、又は指に適合するような外形にされてもよい。ボタン３１、３２は、改善された把持面を提供するために、表面凹凸部１２５を有してもよい。ボタン３１、３２のうちの１つ以上の壁８１、８２、８３、８４、８５、８６、８７は、外側縁部８８を有してもよい。先の尖った角がユーザを突き刺し、単位用量物品に穴をあける危険性があり、及び／又は審美的に満足できないため、外側縁部８８が実質的に丸みを帯びていることが望ましい場合がある。
【００５６】
第１のボタン３１は、距離８９だけ第２のボタン３２から離間して配置されていてもよい。距離８９は、平均的な成人のヒトの手の最大機能ハンドスパンに適合するように選択されてもよい。距離８９は、容器システムのユーザの標的集団に応じて調整されてもよく、例えば、女性は、男性よりも小さな最大機能ハンドスパンを有する傾向がある。ボタン３１、３２間の距離８９は、固定部材３０を動作させるために、ユーザが指を置くボタン上の位置間の最小距離として測定される。例えば、図５に示すように、ボタン間の距離８９は、第１のボタン３１の第２の垂直壁８６から第２のボタン３２の第２の垂直壁８７まで測定される。ボタン３１、３２間の距離８９は、約５０ｍｍから、又は約７０ｍｍから、又は約９０ｍｍから、又は約１０５ｍｍから、又は約１１０ｍｍから、約１５０ｍｍまで、又は約１３０ｍｍまで、又は約１２０ｍｍまでであってもよい。
【００５７】
ボタン３１、３２はしるし９０を含んでもよい。しるし９０は、ボタンと一体的に成形され、ボタン上に印刷され、かつ／又はボタンに（ラベル又はステッカーによってなど）貼り付けられてもよい。しるし９０は、テキスト、グラフィック、又はこれらの組み合わせを含んでもよい。しるし９０は、安全のための指示、指示表示、商標若しくはブランド名、又はこれらの組み合わせを提供してもよい。指示表示は、例えば、ボタンを押下する方向を示す矢印で、容器システム１を開放する方法を示してもよい。閉鎖システム３の他の部品（例えば、蓋４又は容器本体）は、上述したしるし９０のうちのいずれかを含んでもよい。
【００５８】
第１のボタン３１は、第１の係着部材５０に動作可能に接続されている。第１の係着部材５０は、第１及び第２のボタン３１、３２の間に実質的に位置付けられてもよい。図５及び図６において、第１の係着部材５０は、内側縁部９１と、外側縁部９２と、を有する第１のラッチであり、外側縁部９２は、第１のボタン３１の近位にあり、内側縁部９１は、第１のボタン３１の遠位にある。
【００５９】
第２のボタン３２は、第２の係着部材５１に動作可能に接続されてもよい。第２の係着部材５１は、第１及び第２のボタン３１、３２の間に実質的に位置付けられている。図５及び図６では、第２の係着部材５１は、内側縁部９３と、外側縁部９４と、を有する第２のラッチである。
【００６０】
第１の係着部材５０は、第１のボタン３１と第２の係着部材５１との間に位置付けられてもよい。第２の係着部材５１は、第２のボタン３２と第１の係着部材５０との間に位置付けられてもよい。
【００６１】
第１の係着部材５０は、ばねシステム３３の第１のばね部分９７の付近にあってもよく、及び／又は第２の係着部材５１は、ばねシステム３３の第２のばね部分９８の付近にあってもよい。第１及び第２の係着部材５０、５１は、ラッチの形態であってもよい。ラッチは、蓋４を閉鎖位置に固定する様態で蓋４上に位置付けられている相補的な係着部材５２に係合するように構成された下方に面する平坦な表面１１８、１１９（例えば、容器本体２の底壁１４に面する）を有してもよい。蓋４が閉鎖位置にあるとき、係着部材５０、５１の平坦な表面１１８、１１９は、蓋４を開放できないように、相補的な係着部材５２、５３の平坦な表面５４に面し、かつ係合してもよい。
【００６２】
係着部材５０、５１は、角度付けされた表面１２０、１２１を含んでもよい。角度付けされた表面１２０、１２１は、蓋４上の対応する表面（例えば、相補的な係着部材５２、５３の角度付けされた表面５５）に係合することによって、蓋４の閉鎖位置への移動を促進するように構成されてもよく、蓋４の少なくとも一部、固定部材３０、フレーム５、及び／又は本体を、蓋４が完全に閉鎖した位置に移動するのを可能にするのに十分に屈曲又は別様に変形させるように促す。角度付けされた表面１２０、１２１がもはや対応する表面５５に係合しなくなると、屈曲又は変形された部分は、その元の位置に戻り、蓋４は、係着部材５０、５１及び５２、５３と係合された相補的な係着部材と固定的に閉鎖される。
【００６３】
ラッチ５０、５１は、ラッチの内側縁部９１、９３と外側縁部９２、９４との間の距離として測定されるラッチ幅９５によって特徴付けられてもよい。ラッチ幅９５は、キャッチなどの相補的な係着構造体５２、５３から係合解除するために、ラッチ５０、５１が移動しなければならない距離に関連し、及び／又はそれと実質的に同じであってもよい。より大きい幅９５を有するラッチ５０、５１は、係合解除するためにより大きい距離を移動しなければならない場合がある。より大きいラッチは、相補的な係着構造体とのより大きい接触面を提供してもよく、このことは、閉鎖システム３をより安全にし得る。当業者は、ラッチのサイズ、ラッチが相補的な係着構造体から係合解除するために移動しなければならない距離９５、及び／又はその比率を最適化してもよい。
【００６４】
第１のラッチ５０の外側縁部９１及び第２のラッチ５１の外側縁部９３は、距離９６だけ離間して配置されてもよい。理論に束縛されるものではないが、２つのラッチ５０、５１間に比較的小さい距離９６を提供することは、２つのラッチ５０、５１が蓋４を効果的に単一のラッチ点で固定することをもたらすと考えられる。２つのラッチ５０、５１が実質的に離間して配置されているとき、蓋４の一方の端は、他方のラッチ５１が係合されたままであっても、一方のラッチ５０が係合解除されるときにこじ開けられることが可能であり得る。しかしながら、２つのラッチ５０、５１がより近く、実質的に単一のラッチとして作用するとき、特に蓋の縁部の中央部分付近に位置付けられているとき、より小さい力に起因して１つのラッチのみが係合解除されると、蓋４をこじ開けるのがより難しくなる。更に、２つのラッチ５０、５１が実質的に１つのラッチとして作用するように配置されている場合、実際にはそうではないときにクロージャが完全に閉鎖及び係止されていると考えるリスクは、ラッチがより離れた距離に位置付けられているシステムと比較して少なくなる。加えて、記載した構成では、蓋４を開放するために２つのボタン３１、３２を動作させる必要があるが、単一のラッチに動作可能に接続された単一のボタンを含むシステムは、操作が比較的簡単であり、したがって安全性がより低くなる。
【００６５】
本開示を考慮して、当業者は、好適な様式で、２つのラッチ５０、５１が事実上単一のラッチ点で動作するように、好ましい方法でラッチをサイズ決定、配置、及び構成することができるであろう。例えば、製造業者は、ラッチ９５の長さ、ラッチの深さ、及び／又はラッチ間の距離９６を操作してもよい。第１及び第２の係着部材５０、５１（例えば、ラッチ）の外側縁部９２、９４間の距離９６は、第１及び第２のボタン３１、３２がそれらのそれぞれの第１の位置にあるときに、約１０ｍｍ〜約６０ｍｍ、好ましくは約１０ｍｍ〜約４０ｍｍ、より好ましくは約１０ｍｍ〜約２５ｍｍであってもよい。
【００６６】
本開示の容器システム１及び／又は閉鎖システム３は、ばねシステム３３を備えてもよい。図５に示すように、ばねシステム３３は、固定部材３０の一部であってもよく、好ましくは一体的にその一部であってもよい。ばねシステム３３は、第１のボタン３１をその第１の位置に弾性的に付勢し、第２のボタン３２をその第１の位置に弾性的に付勢してもよい。
【００６７】
ばねシステム３３は、金属、シリコーン、又は可撓性プラスチックなどの弾性的に可撓性の材料、好ましくは可撓性プラスチックを含んでもよい。プラスチックは容易にリサイクル可能な材料であり、そのため、容器システムの環境調和性が増加する。
【００６８】
ばねシステム３３は、任意の好適な構成又は形状を有してもよい。ばねシステム３３は、実質的に文字Ｍ、Ｎ、Ｓ、Ｕ、Ｖ、又はＷの形状であってもよい。ばねシステム３３は、コイルの形状であってもよい。ばねシステム３３は、圧力下で変形され、圧力が解放されるとボタンをその第１の位置に付勢するフランジを備えてもよい。構成に応じて、ばねシステム３３は圧縮又は伸張され、次いで、その元の形状に戻って、ボタン３１、３２をそれらの第１の位置に付勢してもよい。図５に示されるばねシステム３３は、ボタン３１、３２がそれらのそれぞれの第１の位置からそれらのそれぞれの第２の位置に移動されるときに圧縮される。
【００６９】
ばねシステム３３は、第１及び第２のボタン３１、３２を独立して弾性的に付勢してもよい。例えば、ばねシステム３３は、第１のボタン３１をその第１の位置に付勢する第１のばね部分９７を含んでもよい。ばねシステム３３は、第２のボタン３２を第１の位置に独立して付勢する第２のばね部分９８を含んでもよい。したがって、第１のボタン３１を移動させても第２のボタン３２は実質的に移動せず、第２のボタン３２を移動させても第１のボタン３１は実質的に移動せず、結果として蓋４を開放するためには両方のボタン３１、３２を独立して動作させなければならない。
【００７０】
ばねシステム３３は、図５に示すように、第１及び第２のボタン３１、３２の間に位置付けられてもよい。しかしながら、代替の構成もまた、本開示によって企図される。例えば、ばねシステム３３は、固定部材３０の端部に又はその付近に位置付けられている少なくとも２つの部品を備えてもよく、ボタン３１、３２は、２つの部品間にあってもよい。本図には示されていないこの構成では、ばねシステム３３は、フレーム５又は容器本体２に固定され、ボタン３１、３２がそれらのそれぞれの第１の位置からそれらのそれぞれの第２の位置に移動されるときに伸張されてもよい。移動力が除去されると、ばねはそれらの元の形態に後退して、ボタン３１、３２をそれらのそれぞれの第１の位置に引き寄せることができる。
【００７１】
ボタン３１、３２が係着部材５０、５１に接近して位置付けられると、ボタン３１、３２及び係着部材５０、５１が離間して配置されているときと比較して、閉鎖システム３は、より容易に開放され得る。したがって、より安全な容器システム１を提供するために、第１のボタン３１は、第１の係着部材５０から離間して配置されてもよく、第２のボタン３２は第２の係着部材５１から離間して配置されてもよい。ボタン３１、３２は、それぞれの係着部材５０、５１から、少なくとも約０．５ｃｍ、又は少なくとも約１ｃｍ、又は少なくとも約２ｃｍ、又は少なくとも約３ｃｍ、又は少なくとも約４ｃｍ、又は少なくとも約５ｃｍだけ離間して配置されてもよい。ボタン３１、３２を係着部材５０、５１から離間して配置させる構成を選択することが望ましくあり得るが、それでも固定部材を片手で動作させることが可能である。この構成はまた、係着部材５０、５１が共に近くに離間して配置されることを可能にし得、そのため、それらは、単一のラッチ点として効果的に動作し得る。
【００７２】
固定部材３０は、１つ以上の中間部分９９、１００を含んでもよい。中間部分９９、１００は、ボタン３１、３２とラッチなどの係着部材５０、５１との間に位置付けられてもよい。中間部分９９、１００は、ボタン３１、３２を係着部材５０、５１から離間して配置させるように作用してもよい。中間部分９９、１００は、ボタン３１、３２と係着部材５０、５１とを動作可能に接続してもよい。固定部材３０は、第１のボタン３１と第１の係着部材５０との間に位置付けられている第１の中間部分９９を含んでもよい。固定部材３０は、第２のボタン３２と第２の係着部材５１との間に位置付けられている第２の中間部分１００を含んでもよい。中間部分９９、１００は、上壁１０１と、前壁１０２と、後壁１０３と、を備えてもよい。前壁１０２及び後壁１０３は、垂下し、例えば、中間部分９９、１００の上壁１０１から下方に垂下してもよい。
【００７３】
固定部材３０は、中間部分９９、１００のうちの少なくとも一部とばねシステム３３との間に間隙１０４、１０５を含んでもよい。第１の間隙１０４は、第１の中間部分９９と第１のばね部分９７との間に位置付けられてもよい。第２の間隙１０５は、第２の中間部分１００と第２のばね部分９８との間に位置付けられてもよい。図５に示すように、中間部分９９、１００は、依然として間隙１０４、１０５を形成しながら、ばねシステム３３に接続されてもよい。間隙１０６はまた、第１のばね部分９７と第２のばね部分９８との間に存在してもよい。本明細書に記載される間隙１０４、１０５、１０６は、固定部材３０の移動及び／又は圧縮を可能にし得る。
【００７４】
固定システム３０及び／又はばねシステム３３は、第１及び第２のボタン３１、３２をそれらのそれぞれの第１の位置からそれらのそれぞれの第２の位置に移動させるために、所定の最小量の力を加える必要があるように構成されてもよい。所定の最小量の力を必要とすることは、閉鎖システム３の意図しない開放を防止するのに役立ち得る。ボタン３１、３２をそれぞれの第１の位置からそれぞれの第２の位置へ同時に移動させるのに必要な所定の最小量の力は、約１ポンド〜約１０ポンド、又は約１ポンド〜約５ポンド、又は約１ポンド〜約３．５ポンドであってもよい。必要とされる所定の最小量の力は、約１．５Ｎ〜約４５Ｎ、又は約３Ｎ〜約２２Ｎ、又は約５Ｎ〜約２０Ｎ、又は約１５Ｎであってもよい。所定の最小量の力は、ばねシステム３３の特定の構成、ばねシステムの材料の選択、動作時に固定部材３０のボタン又は他の部品が沿って移動する摩擦面の調整、又は本開示を考慮して当業者に明らかな任意の他の構成若しくは解決策によって調整されてもよい。
【００７５】
固定部材３０は、１つ以上の止め構造体１０７、１０８を含んでもよい。１つ以上の止め構造体１０７、１０８は、固定部材３０の中間部分９９、１００上に位置付けられてもよい。１つ以上の止め構造体１０７、１０８は、ボタン３１、３２の移動を限定するように構成されてもよい。例えば、止め構造体１０７、１０８は、固定部材３０から離れる方向に突出してもよく、止め面１０９、１１０を含んでもよい。ボタン３１、３２が第１の位置から第２の位置に移動されるときに、止め面１０９、１１０は、蓋４（例えば、相補的な係着部材５２、５３の縁部）、フレーム５、又は容器本体２の静止面などの別の表面に接触し、それによって、ボタン３１、３２の更なる移動を限定し、減速し、又は更に止めてもよい。止め構造体１０７、１０８は、ばねシステム３３上の摩耗及び引き裂きを限定すること、及び／又は固定部材３０が閉鎖システム３の残りの部分から切り離されるまで押されることを防止するのに有利であり得る。
【００７６】
容器システム１は、１つ以上の安定性機構を備えてもよい。安定性機構は、係着及び相補的な係着部材５０、５１、５２、５３に追加されてもよい。１つ以上の安定性機構は、意図しない開放の可能性を更に低減するために、蓋４が閉鎖位置にあるときに、追加の安定性及び／又は構造的支持を閉鎖システム３に加えるように構成されてもよい。容器システム１は、蓋４が閉鎖位置にあるときに、係着機構５１、５２の両側に位置付けられ得る、少なくとも２つの安定性機構を備えてもよい。１つ以上の安定性機構は、少なくとも１対の、好ましくは２対の相補的な構造体、例えば、延長部分１６４、１６５と、蓋４が閉鎖位置にあるときに延長部分１６４、１６５を受容するように構成された受容部分１６２、１６３と、を含んでもよい。延長部分１６４、１６５が受容部分１６２、１６３内に入れ子にされ、又は別様に受容部分１６２、１６３に隣接しているときに、閉鎖システム３は、係着部材５１、５２を別様に非意図的に係合解除し得る変形力に対して、比較的より弾性的であってもよい。安定性機構に部分的に起因して、閉鎖システム３の安全性が増大し、ボタン３１、３２を作動させることは、容器システム１を開放するための唯一の実現可能な方法であり得る。
【００７７】
図５及び図６に示すように、開放端ポケットの形態の受容部分１６２、１６３は、止め面１０９、１１０を含む止め構造体１０７、１０８、及び固定部材の後壁１０３から形成されてもよい。受容部分１６２、１６３は、蓋４上に位置付けられている延長部分１６４、１６５を受容するように構成されてもよい（例えば、図１２を参照）。蓋４が閉鎖されているときに、安定性機構１６０、１６１は、係着部材と相補的な係着部材５１、５２、５３、５４との間の係合を維持するのに役立つ。この追加された支持及び安全性は、前壁１０が内方に（例えば、容器システム１がＺ軸に沿った力によって内向きに押された場合）、又は外方に（例えば、容器システム１がＸ軸に沿った力によって内向きに押された場合）屈曲するときに特に関連する。したがって、偶発的な開放（例えば、容器システム１が落下するか、又は踏まれるとき）は回避され得る。
【００７８】
図示されていない場合であっても、安定性機構の他の構成が本開示によって企図される。例えば、受容部分は、フレーム上に位置付けられてもよく、延長部分は、固定部材上又はフレーム上に位置付けられてもよく、受容部分は、蓋上に位置付けられてもよく、延長部分は、支柱又はフランジの形態であってもよく、受容部分は、孔又はスロットの形態であってもよい。
【００７９】
図７は、例示的な固定部材３０の底面斜視図を示す。中間部分９９、１００の前壁１０２、後壁１０３、及び上壁１０１は、内部空間１１１を実質的に画定し得る。中間部分９９、１００は、固定部材３０に強度を提供するためのリブ１１２などの支持構造体を含んでもよく、これは、ボタン３１、３２に力が加えられるときに、固定部材の一般的形状を維持するのに有用であり得る。支持リブ１１２は、前壁１０２と後壁１０３との間に延在してもよい。支持リブは、上壁１０１及び前壁１０２、後壁１０３、又はその両方の間に延在してもよい。
【００８０】
固定部材３０は、１つ以上のコネクタ部分１１３、１１４、１１５、１１６を備えてもよい。コネクタ部分１１３、１１４、１１５、１１６は、容器システム１の別の部一部への固定部材３０の接続を容易にし、それを定位置に固定する。コネクタ部分１１３、１１４、１１５、１１６は、固定部材３０の中間部分９９、１００上に位置付けられてもよい。図７に示すように、コネクタ部分１１３、１１４、１１５、１１６は、中間部分９９、１００の上壁１０１から離れる方向に下方に延在してもよい。コネクタ部分１１３、１１４、１１５、１１６は、容器システム１の別の一部上の対応する構造体に相補的である任意の好適な構成を含んでもよい。例えば、図７に示すように、コネクタ部分１１３、１１４、１１５、１１６は、弾性的に可撓性なフックの形状であってもよい。フックは、固定部材３０が閉鎖システム３の別の一部（例えば、フレーム５）に接続されているときに撓むことができるが、フックが対応する構造体を越えて移動すると定位置に跳ね返り、それによって固定部材３０をその一部に接続する。追加的に又は代替的に、コネクタ、例えば、容器システム１の他の一部（例えば、フレーム５）上のフックは、フック、フランジ、又は開口部の周囲のリムであり得るコネクタ部分を超えて移動し、次いで定位置にスナップ嵌めされてもよい。コネクタ部分１１３、１１４、１１５、１１６は、容器システム１の別の一部への固定的な接続を容易にするが、コネクタ部分１１３、１１４、１１５、１１６は、例えば、ボタン３１、３２が第１の位置から第２の位置に移動されるときに、固定部材３０の移動を依然として可能にし得る。コネクタ部１１３、１１４、１１５、１１６は、固定部材３０を他の一部に更に概ね固定しながら、他の一部上の対応する構造体に対して摺動できるように構成されてもよい。
【００８１】
上述したように、蓋４及び／又は固定部材３０は、閉鎖システム３のフレーム５に接続してもよい。図８は、本開示によるフレーム５の背面上面斜視図を示す。フレーム５は、フレーム５の設置面積を概ね画定する外側周辺部１４０を有してもよい。外側スカート１４１は、フレーム５の周辺部１４０から下方に垂下してもよく、外側スカート１４１は、遠位下側縁部１４２で終端してもよい。外側スカート１４１は、図１及び図２に示すように、開口部１６を画定する容器本体の壁１０、１１、１２、１３の外側に適合するように構成されてもよい。外側スカート１４１は、容器本体の開口部１６を画定する壁１０、１１、１２、１３の内側に適合するように構成されてもよく、それによって、図２３に示すように、容器本体２のリム１２４又は口に対して実質的に差し込まれている。差し込み構成は、フレーム５の下側縁部１４２が容器本体２の内部に効果的に隠され、フレーム５が容器本体２からこじ開けられることをもたらし得る外力にアクセス不可能であるため、有利であり得る。
【００８２】
フレーム５は、フレーム５の周辺部１４０の付近で上方に突出する壁１４３を含んでもよい。上方に突出する壁１４３は、周辺部１４０の形状に概ね追従してもよく、周辺部１４０の周りで連続的又は不連続的であってもよい。谷部１４４は、上方に突出する壁１４３と、フレーム５の上側面３５の少なくとも一部との間に位置付けられてもよい。上方に突出する壁１４３及び／又は谷部１４４（又は窪み若しくは突出部などの機能的に類似した機構）は、閉鎖システム３又は容器システム１の入れ子及び／又は積み重ねに役立ち、より安定した保管及び／又は輸送をもたらし得る。
【００８３】
フレーム５は、フレーム５から離れる方向に突出するガイド構造体１４５を含んでもよい。ガイド構造体１４５は、第１及び／又は第２のボタン３１、３２が動作されるときに、固定部材３０を所定の経路に沿って案内するように位置付けられかつ構成されてもよい。ガイド構造体１４５は、例えば、支柱、リブ、溝、クリップ、又はこれらの混合物の形態であってもよい。
【００８４】
固定部材３０は、比較的細長い場合があり、したがって、一方又は両方の端部に力が加えられると、望ましくない屈曲を生じやすい場合がある。したがって、ガイド構造体１４５は、そのような屈曲を阻止するように構成されてもよい。例えば、ガイド構造体１４５は、（例えば、固定部材３０がガイド構造体１４５を受容するのに好適な内部空間１１１内で構成されている場合）固定部材３０がその隣又はその上を摺動することができる連続的又は不連続的なリブを形成してもよい。ガイド構造体１４５は、固定部材３０を受容し、望ましくない屈曲を制限することができるスロット又はチャネルを形成してもよい。
【００８５】
フレーム５は、固定部材３０が通常の使用条件下で脱落しないように、固定部材３０とフレーム５との間の確実な接続を容易にする接続部分１４６を含んでもよい。接続部分１４６は、固定部材３０上の接続部分１１３、１１４、１１５、１１６に係合するように構成されてもよい。例えば、フレーム５の接続部分１４６は、固定部材３０のフック１１６又はラッチを受容するように構成されてもよい。フレーム５の接続部分１４６は、固定部材３０と係合するように構成されるべきであるが、第１の位置から第２の位置へのボタン３１、３２の相対的な移動を可能にするようにも構成されるべきである。接続部分１４６は、例えば、固定部材３０が２つの位置間を自由に摺動することを可能にするために、ボタン３１、３２が第１及び第２の位置の間で移動する距離と少なくとも同じ幅である幅１４７を有してもよい。接続部分１４６は、固定部材３０又は容器システム１の他の部品を損傷することなく固定部材３０が取り外されないように構成されてもよく、そのため、固定部材３０の取り付けは機能的に恒久的である。他の構成では、容器システムの他の部分はコネクタ部分１４６を備え、それにより、固定部材３０が容器本体２又は蓋４などの他の部品に取り付けられるようにしてもよい。
【００８６】
フレーム５は、壁、例えば、前壁４０を含んでもよい。壁４０は、フレーム５から上方に突出してもよい。壁４０は、固定部材３０の少なくとも一部を視覚的に閉塞するように構成されてもよい。そのような壁４０は、容器システム１の全体的な美観を改善するのに役立ち得、固定部材３０が衝撃又は汚れなどの異物から保護するのを助けることができ、それによって、閉鎖システム３の完全性及び機能を維持する。
【００８７】
フレーム５は、付勢システム６０の一部である構造体を含んでもよい。フレーム５は、弾性部材６１を受容及び／又は保持するように適合された第１、第２、及び任意に第３の支持部分６５、６６、６７を含んでもよい。支持部分６５、６６、６７は、受容チャネル７０を形成する凹部分６９を含んでもよい。支持部分６５、６６、６７は、弾性部材を固定するのに役立つクリップ部分７１を含んでもよい。間隙７２、７３は、第１、第２、及び任意に第３の支持部分６５、６６、６７の間に存在してもよい。好適な付勢システム６０は、以下でより詳細に説明する。
【００８８】
フレーム５は、フレーム５にヒンジ式に接続されるフレーム５をもたらすヒンジ３６の一部を備えてもよい。例えば、フレーム５は、ヒンジピンを受容するように適合されたヒンジピン受容部分１４８を含んでもよい。ヒンジピンは、別々の部品であってもよく、又は蓋４の一体的な部分であってもよい。別の構成では、フレーム５は、蓋４上のヒンジピン受容部分と相互作用するように動作する、ヒンジピン又は突出部を含み得ることが企図される。
【００８９】
図９は、本開示によるフレーム５の底面正面斜視図を示す。図９に示すように、固定部材３０の第１及び第２のボタン３１、３２は視認可能であるが、フレーム５の前壁４０は、前部から見たときに、固定部材３０の他の部分を実質的に覆っている。蓋４上のリップ３７は、フレーム５の開口部１３９に対して、フレーム５の前壁４０の半径方向内側又は半径方向外側に静止し得ることが企図される。
【００９０】
フレーム５は、フレーム５の開口部１３９の内側周辺部１５０を画定するのに役立つ内壁１４９を含んでもよい。内壁１４９は、フレーム５から離れる方向に下方に垂下してもよい。フレーム５は、外側スカート１４１から離間して配置され、かつ／又はその半径方向内側に位置付けられている内側スカート１５１を含んでもよい。内側スカート１５１は、例えば、容器本体２のリム１２４又は上側部分の内部に適合すること、及びフレーム５を定位置に案内するのを助けることによって、閉鎖システム３の容器本体２への組み付け又は接続を容易にし得る。フレーム５が容器本体２に取り付けられるとき、リム１２４又は容器本体２の上側部分は、フレーム５の外側スカートと内壁１４９又は内側スカート１５１との間に位置付けられてもよい。内側スカート１５１は、交差部１５２において、内壁１４９と交差及び／又は接合してもよい。
【００９１】
図１０は、容器システム１の外側から内側を見た、正面斜視図から見た、図１の円Ｃで強調された、容器システム１の一部の拡大図である。固定部材３０は、閉鎖システム３のフレーム５に接続されている。固定部材３０（すなわち、前壁１０２）とフレーム５（すなわち、リム３９）との間に空間１１７が存在する。蓋４が閉鎖位置にあるときに、蓋４のリップ３７は、この空間１１７内に適合し得る。したがって、リップ３７は、固定部材３０を覆うことになり、フレーム５の前壁４０及びリム３９は、リップ３７の下側縁部４１を効果的に隠すことになり、こじ開けている指が、蓋４を強制的に開放するためのてこの作用を得ることを防止する。
【００９２】
図１１は、図１０のような容器システム１の実質的に同じ部分であるが、容器システム１の内部から外方に（例えば、後壁１１から前壁１０に向かって）見ている。この図から、固定部材３０の係着部材５０、５１が視認可能である。
【００９３】
止め面１０９、１１０を含む止め構造体１０７、１０８はまた、ばねシステム３３と同様に図１１で視認可能である。更に、各係着部材５０、５１の隣には、間隙１２２、１２３が存在する。間隙１２２、１２３は、係着部材５０、５１と止め構造体１０７、１０８との間にあってもよい。間隙１２２、１２３は、相補的な係着部材５２、５３が間隙１２２、１２３を通過することができるようにサイズ決定及び配置されてもよい。
【００９４】
図１２は、図１の円Ａによって強調された蓋４の部分の拡大図を示す。相補的な係着部材５２、５３は、蓋４の内面４２から離れる方向に突出するように示されている。相補的な係着部材５２、５３は、蓋４が閉鎖位置にあるときに、例えば底壁１４に向かって、実質的に下方に突出してもよい。係止システムは、２つ以上の相補的な係着部材、例えば、第１の相補的な係止部材５２及び第２の相補的な係止部材５３を含んでもよい。第１及び第２の相補的な係着部材５２、５３は、離間して配置されていてもよい。
【００９５】
相補的な係着部材５２、５３は、蓋４を閉鎖位置に固定する様態で、固定部材３０の係着部材５０、５１に係合するように構成されている。相補的な係着部材５２、５３は、ラッチ、キャッチ、及び／又はフックの形態であってもよい。相補的な係着部材５２、５３は、実質的に平坦な表面５４を含んでもよい。平坦な表面５４は、蓋４が閉鎖位置にあるときに、例えば、蓋４の内面４２に向かって上方に面してもよい。平坦な表面５４は、係着部材５０、５１の対応する表面１１８、１１９に係合するように構成されてもよい。
【００９６】
相補的な係着部材５２、５３は、角度付けされた表面５５を含んでもよい。角度付けされた表面５５は、固定部材３０、フレーム５、又は本体２上の対応する表面に係合して、蓋４のうちの少なくとも一部、固定部材３０、フレーム５、及び／又は本体２を、蓋４が完全に閉鎖した位置に移動するのを可能にするのに十分に屈曲又は別様に変形させるように促すことによって、蓋４の閉鎖位置への移動を容易にするように構成されてもよい。角度付けされた表面５５がもはや対応する表面に係合しなくなると、屈曲又は変形された部分は、その元の位置に戻り、蓋４は、係着部材５０、５１及び相補的な係着部材５２、５３が係合した状態で固定的に閉鎖される。
【００９７】
蓋４のリップ３７は、リブ５６などの支持構造体を含んでもよい。支持リブ５６は、蓋４が閉鎖位置にあるときに、リップ３７が固定部材３０を覆って保護するときに、リップ３７に強度及び／又は支持を提供し得る。
【００９８】
蓋４は、１つ以上の延長部分１６４、１６５を含んでもよい。延長部分１６４、１６５は、容器システム１の安定性機構の一部であってもよい。１つ以上の延長部分１６４、１６５は、蓋が閉鎖位置にあるときに、１つ以上の受容部分１６２、１６３によって受容されるように構成されてもよい。図１２に示すように、延長部分１６４、１６５は、蓋４の内面４２から下方に垂下するリブの形態である。延長部分１６４、１６５は、受容部分１６２、１６３へそれらの進入及び受容を容易にするために、例えば角度付けされ、又は丸くされていてもよい。リブとして示されているが、延長部分１６４、１６５は、任意の好適な構成、例えば、１つ以上の支柱を有してもよい。
【００９９】
図１３は、図３の円Ｅによって強調された部分の拡大図を示す。蓋４は、閉鎖位置にある。１つ以上のラッチであり得る固定部材３０の係着部材５０は、１つ以上のキャッチであり得る蓋４の相補的な係止部材５２に係合される。より具体的には、係着部材５０の平坦な表面１１８は、相補的な係着部材５２の平坦な表面５４に隣接し、それに面して係合される。
【０１００】
蓋４のリップ３７は、固定部材３０の少なくとも一部及び／又は係止システム全体を覆ってもよい。フレーム５は、フレーム５の周辺部１４０の付近に位置付けられているリム３９を含んでもよい。蓋４が閉鎖位置にあるときに、リップ３７の下側縁部４１は、中心軸線２１に対してフレーム５のリム３９の半径方向内側に存在してもよい。蓋４のリップ３７がフレーム５に対して差し込まれるときに、蓋４は、別様には、容器システムの係止システムの意図された使用を回避するであろう様態でこじ開けることがより困難である。
【０１０１】
容器システム１を開放するために、ユーザは、第１及び第２のボタン３１、３２をそれらの第１のそれぞれの位置からそれらの第２のそれぞれの位置に移動させ、それによって係着部材５０、５１を相補的な係着部材５２、５３から係合解除する。図１４及び図１５は、このプロセスを概略的に示す。線Ｇ、Ｈ、Ｉ、及びＪは、ボタン３１、３２が第１の位置から第２の位置へ移動するときの位置の相対的な違いを示すために、参照として提供される。
【０１０２】
図１４は、上面図から、固定部材３０を概略的に示している。この概略図では、蓋４（図示せず）は閉鎖され、固定部材３０の係着部材５０、５１は、相補的な係着部材５２、５３（固定部材３０の係着部材の下に隠れている）に係合される。この静止位置では、ボタン３１、３２は、それらのそれぞれの第１の位置にある。
【０１０３】
図１５において、ボタン３１、３２に、それぞれ方向Ｍ及びＮの力が加えられ、ボタン３１、３２は、それらのそれぞれの第１の位置からそれらのそれぞれの第２の位置に移動している。ここで、ボタン３１、３２は互いに接近して移動している。ばねシステム３３は圧縮され、潜在的なエネルギーを蓄積する。係着部材５０、５１は、相補的な係着部材５２、５３を越えて摺動しており、そのため、係着部材５０、５１の外側縁部９２、９４は、相補的な係着部材５３、５４の内側縁部から除去されている。蓋４は、ここで開放されてもよい。更に、止め構造体１０７、１０８の止め面１０９、１１０は、相補的な係着部材５１、５２の外側縁部とすぐに接触してもよい。この接触により、ボタン３１、３２を更に移動させることができない。
【０１０４】
第１及び第２のボタン３１、３２が解放されると、ばねシステム３３は、その潜在的なエネルギーを解放し、ボタン３１、３２をそれらのそれぞれの第１の位置に押し戻す。蓋４が開放位置にあるときに、係着部材５０、５１は、もはや相補的な係着部材５２、５３に係合しない。
【０１０５】
図１６は、付勢システム６０を含む、図１の円Ｂで強調された容器システム１の部分の拡大図を示す。蓋４は、ヒンジ３６でフレーム５にヒンジ式に接続される。蓋４は、閉鎖位置から開放位置へヒンジ軸２０の周りで旋回してもよく、逆もまた同様である。
【０１０６】
閉鎖システム３は、付勢システム６０を含んでもよい。付勢システム６０は、蓋４を開放位置に向かって付勢するように構成されてもよい。
【０１０７】
付勢システム６０は、弾性部材６１を含んでもよい。蓋４が閉鎖位置にあるときに、弾性部材６１は、弾性的に変形され、それによって潜在的なエネルギーを蓄積することができる。係着部材５０、５１が相補的な係着部材５２、５４から係合解除されると、変形した弾性部材６１は、その元の形状に戻り、蓋４をその開放位置まで、又は少なくともそこに向かって付勢してもよい。
【０１０８】
図１７に示すように、弾性部材６１は、第１の端部６２と、第２の端部６３と、第１及び第２の端部６２、６３の間に配置された中間部分６４と、を含んでもよい。少なくとも１つの部分、例えば、第１及び／又は第２の端部６２、６３は、以下に記載するように、受容チャネル７０内及び／又はクリップ７１によってより良好に固定されるように比較的大きくすることができる。図１６及び図１７に示される弾性部材６１は、第１及び第２の端部６２、６３の両方において拡大され、これは、第１及び第２の端部６２、６３における部材の平均直径が中間部分６４における直径よりも大きいことを意味する。したがって、弾性部材６１は、２つの端部６２、６３で効果的に固定されるが、中間部分６４で十分に変形されてもよい。
【０１０９】
弾性部材６１の構成及び材料は、所望の特性を提供するために、当業者によって選択されてもよい。弾性部材６１は、試験方法ＩＳＯ３７に従って測定したときに、約３００％〜約５００％、又は約３５０％〜約４５０％、又は約４００％の引張伸び値（２００ｍｍ／分、横断流：破断、２．００ｍｍ）によって特徴付けられ得る。弾性部材６１は、試験方法ＩＳＯ３７に従って測定したときに、約３００％〜約５００％、又は約３５０％〜約４５０％、又は約３８０％の引張伸び値（２００ｍｍ／分、流：破断、２．００ｍｍ）によって特徴付けられ得る。弾性部材６１は、試験方法ＩＳＯ８６８に従って測定したときに、約４０〜約１００、又は約５０〜約８０、又は約５５〜約６５、又は約６０のショア硬度値（ショアＡ、３秒）によって特徴付けられ得る。ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）試験方法は、当業者に知られており、閲覧可能である。
【０１１０】
弾性部材６１は、任意の好適な弾性材料、好ましくはシリコーン、ゴム、又は熱可塑性エラストマーを含んでもよい。
【０１１１】
弾性部材６１は、任意の好適な形状を有してもよい。弾性部材６１は、実質的に矩形、円形、又は卵形の断面を有してもよい。
【０１１２】
図１６に戻ると、閉鎖システム３は、第１の支持部分６５及び第２の支持部分６６を含んでもよい。第１及び第２の支持部分６５、６６は、フレーム５上に位置付けられてもよい。第１及び第２の支持部分６５、６６は、フレーム５の基部表面６８から離れる方向に延在してもよく、例えば、基部表面６８から離れる方向に上方に延在してもよい。第１及び第２の支持部分６５、６６の間に少なくとも１つの間隙７２、７３が存在してもよい。
【０１１３】
第１及び／又は第２の支持部分６５、６６は、弾性部材６１を受容及び／又は保持するように構成された受容チャネル７０を形成する凹部分６９、又は他の形状の凹状領域を含んでもよい。凹部分６９は、「Ｕ」字形又は少なくとも円の一部にあってもよい。第１及び／又は第２の支持部分６５、６６は、例えば摩擦によって、特に弾性部材６１の少なくとも一部が別の部分に対して拡大されるときに、弾性部材６１を定位置に固定するのに役立つクリップ部分７１を含んでもよい。クリップ部分７１は、受容チャネル７０の最も広い部分よりも狭い空間を含んでもよく、そのため、弾性部分６１はクリップ部分７１内の空間を通って押され得るが、除去することは困難であり得る。
【０１１４】
閉鎖システム３は、少なくとも第３の支持部分６７を含んでもよい。第３の支持部分６７は、フレーム５の基部表面６８から離れる方向に、例えば、上方に離れる方向に延在してもよい。第３の支持部分６７は、受容チャネル７０と整列するように構成された凹部分を含んでもよい。第３の支持部分６７は、第１及び第２支持部分６５、６６間に位置付けられてもよい。間隙７２、７３は、第３の支持部分６７と第１及び第２の支持部分６５、６６のうちのいずれか又は両方の間に存在してもよい。第１の間隙７２は、第１及び第３の支持部分６５、６７間に存在してもよい。第２の間隙７３は、第２及び第３の支持部分６６、６７間に存在してもよい。第３の支持部分６７は、弾性部材６１を固定するのに役立つクリップを含んでもよく、又は含まなくてもよい。
【０１１５】
蓋４は、蓋４の内面４２から離れる方向に延在する少なくとも１つの突出部７４、７５を含んでもよい。少なくとも１つの突出部７４、７５は、蓋４が閉鎖位置にあるときに、第１及び第２の支持部分６５、６６の間に位置付けられている少なくとも１つの間隙７２、７３に一致及び／又は適合するように、蓋４上の位置に位置付けられてもよい。少なくとも１つの突出部７４、７５は、蓋４が閉鎖位置にあるときに、弾性部材と接触するように構成された受容部分７６、７７を含んでもよい。蓋４が閉鎖位置にあるときに、突出部７４、７５は、弾性部材６１に接触し、それによって弾性部材６１を変形させる。突出部７４、７５の受容部分７６、７７は、弾性部材６１の全体形状に適合するように構成されてもよく、そのため、弾性部材６１は、例えば、突出部６１から離れる方向に転動するのではなく、変形しながら比較的定位置に保持される。蓋４が閉鎖位置にあるときに、突出部７４、７５は、弾性部材６１を第１及び第２の支持部分６５、６６間の間隙７２、７３に変形してもよい。蓋４は、少なくとも２つの突出部７６、７７を含んでもよく、第１の突出部７４は、第１の間隙７２に一致及び／又は適合するように蓋４上の位置に位置付けられ、第２の突出部７５は、第２の間隙７３に一致及び／又は適合するように蓋４上の位置に位置付けられる。
【０１１６】
図１８〜図２１は、例示的な付勢システム６０の概略正面図、及び結果として得られる、蓋４が閉鎖位置にあるときの弾性部材６１の変形パターンを示す。
【０１１７】
図１８は、弾性部材６１が、蓋４から延在する１つの突出部７４によって第１及び第２の支持構造体６５、６６間の間隙に変形されていることを示す。ここで、弾性部材は、実質的にＵ字形又はＶ字形に曲がっている。図１９の付勢システム６０は、図１８と実質的に同様であるが、突出部７４は図１８よりも比較的広い。図２０の付勢システム６０は、蓋４から延在する２つの突出部７４、７５を含む。図２０において構成されるように、弾性部材６１は、実質的に図１９と同じ形状に変形されるが、１つのより大きいものの代わりに、２つのより小さい接触点で変形される。図２１の付勢システムは、第１、第２、及び第３の支持構造体６５、６６、６７と、蓋４から延在する２つの突出部７４、７５とを含む。２つの突出部７４、７５は、支持構造体６５、６６、６７間のそれぞれの間隙７２、７３に弾性部材を変形させる。ここで、弾性部材６１は、実質的にＷ字形に曲がっている。
【０１１８】
本明細書に示され、かつ説明される構成は単なる例示であり、当業者は、本明細書の開示に照らして他の構成を企図することができることが理解される。例えば、弾性部材を保持する支持部分は、蓋の内側表面上に位置付けられ、かつそこから離れる方向に延在してもよく、突出部は、平面の底面上にあってもよい。また弾性部材の一端又は両端が、対応する突出部によって、例えば逆さまのＵ字形に変形され得る場合、１つ以上の支持部分の片側又は両側を越えて延在するであろうことも企図される。そのような構成では、閉鎖システムは、１つの支持部分のみを含んでもよく、弾性部材の中間部分は、変形を容易にするために比較的薄くてもよい端部分と比較して、例えば、支持部分によってより良好に把持又は固定されるように）、拡大されてもよい。
【０１１９】
図２２は、図３の円Ｆで強調された付勢システム６０の断面図を示す。弾性部材６１は、支持構造体６５によって形成されるチャネル内に存在するものとして示される。
【０１２０】
図２３は、本開示による閉鎖システム３及び容器システム１に好適であり得る代替の付勢システム６０ａの断面図を示す。図２３の付勢システム６０ａは、図３の円Ｆによって強調された部分の位置など、容器システム１のヒンジ３６に、又はその付近に位置付けられてもよい。
【０１２１】
図２３の容器システム１において、フレーム５にヒンジ式で取り付けられた蓋４を備える閉鎖システム３は、容器本体２に接続されている。蓋４は、閉鎖位置にある。付勢システム６０ａは、蓋４を開放位置に向けて付勢する弾性部材６１ａを含む。弾性部材６１ａは、弾性部材６１ａを受容するように構成された第１のポート７８において、蓋４に接続され、弾性部材６１ａを受容するように構成された第２のポート７９において、フレーム５に接続される。蓋４が閉鎖位置にあるときに、弾性部材６１ａは、例えばＣ字形に変形され、潜在的なエネルギーを蓄積する。係着部材５０、５１が相補的な係着部材５２、５３（図２３には示されていない）から係合解除されると、変形した弾性部材６１ａは、その元の形状、例えば、Ｌ字形又は実質的に直線に戻り、蓋４をその開放位置まで又はそこに向かって付勢してもよい。図２３において、弾性部材６１ａは、蓋４及びフレーム５の両方の外面に実質的に取り付けられているものとして示されており、このことは、内部容積内でより少ない空間を取るのに有利であり得る。しかしながら、弾性部材６１ａはまた、蓋４、フレーム５、又はその両方の内面４２に取り付けられてもよいことが企図される。
【０１２２】
弾性部材６１ａは、例えば、バイインジェクション成形によって、容器システム１の１つ以上の部品と共成形されてもよい。例えば、弾性部材６１ａは、フレーム５及び／又は蓋４と共成形（例えば、バイインジェクション成形）によって形成されてもよい。弾性部材６１ａは、フレーム５及び／又は蓋４と異なる材料であってもよい。弾性部材６１ａは、熱可塑性エラストマーであってもよい。熱可塑性エラストマーは腐食せず、容器システム１に含まれる材料を穿刺し又は削る可能性がある尖った先端を有さず、通常はリサイクル可能であるため、熱可塑性エラストマーは、金属ばねなどの他の材料と比較して望ましい場合がある。
【０１２３】
付勢システム６０は、ねじり、板、及び／又は圧縮ばねを含んでもよい。付勢システム６０は、金属又は他の好適な弾性材料で作製され得るコイルばね（図示せず）を含んでもよい。
【０１２４】
図２４は、本開示の容器システム１及び／又は閉鎖システム３に含まれ得る追加又は代替の機構を示す。蓋４は、閉鎖位置にあり、略楕円形を有する。蓋４は、２つのヒンジ３６ａ、３６ｂによってフレーム５にヒンジ式に接続される。フレーム５は、容器本体２に接続され、本体２の上側縁部１２４に対して差し込まれている。この図では、蓋４は、固定部材３０を覆うリップを含まず、その中間部分９９、１００は、蓋４が閉鎖位置にあるときに視認可能である。ボタン３１、３２は、より把持可能な表面を提供するために、リブ及び／又は溝の形態の表面凹凸部１２５を含む。
【０１２５】
図２４の閉鎖システム３は、不正開封防止機構１２７を含む。図示されるように、不正開封防止機構１２７は、取り外し可能なタブである。取り外し可能なタブ１２７は、剛性構造体であり、固定部材３０の第１及び第２の中間部分９９、１００に接続されている。タブ１２７が定位置にあり、中間部分９９、１００に接続されると、ボタン３１、３２は、それらのそれぞれの第２の位置に移動することができず、蓋４は開放され得ない。しかしながら、不正開封防止機構１２７は、取り外し可能なタブ１２７が中間部分に接合される脆弱線１２８、１２９を含む。タブ１２７は、脆弱線１２８、１２９において、材料（例えば、プラスチック）を破断することによって取り外されてもよい。タブ１２７が取り外されると、ボタン３１、３２は移動され、蓋４は開放され得る。
【０１２６】
図２５は、本明細書に記載される容器システム１の別の好適な構成を示す。ここで、固定部材３０は、容器本体２に接続されている。容器本体２は、第１及び第２のボタン３１、３２を除いて、固定部材３０を実質的に覆うリップ１３０を含む。閉鎖システム３は、蓋４及びフレーム５を備える。閉鎖システム３のフレーム５は、容器本体２上にスナップ嵌めされてもよく、その上側リムは、複数のスロットを含み、複数のスロットは、接続タブ（図示せず）を受容するように構成された主スロット１３２及び／又は副スロット１３１を含んでもよい。
【０１２７】
図２６は、本明細書に記載される容器システム１の別の好適な構成を示す。ここで、蓋４は閉鎖位置にある。固定部材３０は、主に蓋４に接続されている。フレーム５は、固定部材３０のボタン３１、３２を受容するように構成された凹部１３３、１３４を含む。ヒンジ３６は薄型であり、閉鎖システム３に組み込まれている。付勢システム６０は、係止システムが係合解除されるときに、蓋４を開放位置に向けて付勢する、挿入物の形態の弾性部材６１ａを含む。挿入物６１ａは、例えば、熱可塑性エラストマーで作製されてもよい。
【０１２８】
図２７は、蓋４が開放位置にある、図２６の容器システム１の断面図である。上述したように、固定部材３０は、蓋４に接続されている。固定部材３０は、単一の部品であり、エルボ１３５、１３６を含む。固定部材３０はまた、ラッチ５０も含む。
【０１２９】
支柱１３７、１３８の形態のガイド構造体は、蓋４の内面４２から離れる方向に突出する。支柱１３７、１３８は、ボタン１３、３２が内向きに押されるときに、固定部材３０の動きを案内するガイドとして作用する。支柱１３７、１３８はまた、接続部分として作用してもよく、固定部材３０を蓋４に固定するのを助ける。
【０１３０】
ボタンが内向きに押されると、固定部材３０は、主にエルボ１３５、１３６で屈曲し、これは、固定部材３０のラッチ５０を、ヒンジ３６に向かって、かつフレーム５（図示せず）上に位置付けられているキャッチから離れる方向に引っ張るように構成されている。ボタン３１、３２から内向きに押す力が除去されると、ばねシステム３３として作用する屈曲したエルボ１３５、１３６は、それらの元の位置に戻り、ボタン３１、３２をそれらのそれぞれの第１の位置に移動させる。
【０１３１】
図２８は、図２６の容器システム１の代替構成を示す。ここで、固定部材は、２つの別々の部分３０ａ、３０ｂに存在する。蓋４の内面４２から下方に突出する支柱１３７、１３８は、固定部材３０ａ、３０ｂの動きを導くガイド構造体として、及び／又は固定部材３０ａ、３０ｂを蓋４に固定する接続部分として作用し得る。蓋４が閉鎖されるときに、ラッチ５０、５１は、フレーム５上に位置付けられ得る相補的な係着部材に係合する。支柱１３７、１３８は、ボタン３１、３２が内向きに押されるときに、ラッチ５０、５１が相補的な係着部材から離れる方向に移動し、蓋４が開放位置に移動することを可能にするように構成されてもよい。支柱１３７、１３８は、ボタン３１、３２が動作されるときに、ラッチ５０、５１が互いから離れる方向に移動するように構成されてもよい。支柱１３７、１３８は、ボタンが動作されるときに、ラッチ５０、５１が互いに向かって移動するように構成されてもよい。
【０１３２】
図２８に示すように、固定部材は、少なくとも２つの部品、例えば、第１の部品３０ａ及び第２の部品３０ｂ内にあってもよい。しかしながら、この一般的な構成で動作されるときに、固定部材３０は、単一の部品として形成され得ることが企図される。例えば、２つの部品３０ａ、３０ｂは、例えば、「Ｖ」又は「Ｗ」（図示せず）の形状の可撓性部分を含んでもよく、この可撓性部分は、２つのボタン３１、３２が動作されるときに、内方に屈曲し得、又は別様により狭くなる。可撓性部分は、ボタン３１、３２をそれぞれの第１の位置に付勢するのに役立つばねシステム３３であってもよい。
【０１３３】
本開示は、容器システム１であって、閉鎖端を画定する壁１０、１１、１２、１３、１４と、開口部１６と、内部容積１７と、を含む、容器本体２と、ヒンジ付き蓋４、好ましくはフレーム５を含む閉鎖システム３であって、蓋４が、開口部１６を覆う閉鎖位置と、内部容積１７へのアクセスを可能にする開放位置との間で選択的に移動可能であり、第１の係着部材５０が相補的な係着部材５２に係合されるとき、ヒンジ付き蓋４は、閉鎖位置に維持される、閉鎖システム３と、本体２と非一体的であり、かつ蓋４と非一体的である（好ましくは、フレーム５に非一体的である）固定部材３０であって、固定部材３０が、第１のボタン３１、及び第１のボタン３１から離間して配置されている（ただし好ましくは、第１のボタン３１に接合されている）第２のボタン３２を含み、第１及び第２のボタン３１、３２の各々が、それぞれの第１の位置に付勢され、各々が、それぞれの第２の位置へ移動可能であり、第１及び第２のボタン３１、３２をそれらのそれぞれの第２の位置へ移動させることが、少なくとも第１の係着部材５０が相補的な係着部材５２から係合解除することをもたらし、蓋４が閉鎖位置から開放位置に移動することを可能にする、固定部材３０と、を備える、容器システム１に関する。第１及び第２のボタン３１、３２がそれらの第２の位置へ移動されるときに、第２の係着部材５１は、第２の相補的な係着部材５３から係合解除され、蓋４を開放位置へ移動させることを可能にする。第１のボタン３１（及び任意に第２のボタン３２）は、第１の係着部材５０に動作可能に接続されてもよい。第２のボタン３２は、第２の係着部材５１に動作可能に接続されてもよい。
【０１３４】
内容物
容器システム１は、任意の好適な内容物、材料、又は組成物を収容するように適合されてもよい。典型的な材料及び組成物としては、布地ケア処理、硬質表面洗浄剤、石鹸、シャンプー、コンディショニング剤、殺虫剤、塗料、溶媒、工業用化学物質、工業用ハードウェア（例えば、釘、ねじなど）、薬剤、ピル、食品などが挙げられるが、これらに限定されない。材料は、感水性材料であってもよく、これは、材料が、液体水又は水蒸気に曝されたときに溶解又は分解する傾向を有することを意味する。
【０１３５】
材料は、消費者製品であってもよい。好適な消費者製品は、漂白、着色、染色、コンディショニング、発毛、除去、発毛遅延、洗髪、及び／又はスタイリングを含む、毛髪（ヒト、イヌ、及び／又はネコ）処理用組成物；脱臭剤及び制汗剤；パーソナルクレンジング；カラー化粧品；消費者向けのクリーム、ローション、及び他の局所適用製品の適用を含む、皮膚（ヒト、イヌ、及び／又はネコ）の治療に関連する製品及び／又は方法；毛髪、皮膚、及び／又は爪（ヒト、イヌ、及び／又はネコ）の外観を向上させるための経口投与材料に関する製品及び／又は方法；剃毛；ボディスプレー；並びにコロン及び香水などのファインフラグランス；空気ケア、車ケア、食器洗浄、布地コンディショニング（柔軟化を含む）、洗濯洗浄、洗濯時及びすすぎ時添加剤及び／又はケア、硬質面洗浄及び／又は処理、並びに消費者又は施設による使用のための他の洗浄を含む、布地、硬質面、並びに布地及びホームケア領域における任意の他の表面を処理するための組成物；成人失禁用衣類、涎掛け、おむつ、トレーニングパンツ、幼児及びよちよち歩きの幼児のケア用拭き取り用品を含む、使い捨て吸収性物品及び／又は非吸収性物品に関する製品；ハンドソープ、シャンプー、ローション、口腔ケア用具、及び衣類；湿式又は乾式トイレットペーパー、ティッシュペーパー、使い捨てハンカチ、使い捨てタオル、及び／又は拭き取り用品などの製品；生理用パッド、失禁パッド、陰唇間パッド、パンティライナー、ペッサリー、生理用ナプキン、タンポン及びタンポンアプリケータ、及び／又は拭き取り用品に関する製品を含んでもよいが、これらに限定されない。
【０１３６】
消費者製品は、家庭用ケア製品、好ましくは洗浄組成物、より好ましくは単位用量物品の形態の洗浄組成物であってもよい。容器システム１は、内部容積内に家庭用ケア組成物を収容してもよい。家庭用ケア組成物は、布地ケア処理組成物、食器洗剤組成物、又はこれらの混合物からなる群から選択されてもよい。消費者製品、家庭用ケア製品及び／又は家庭用ケア組成物は、水溶性単位用量物品の形態であってもよい。
【０１３７】
有用な組成物の非限定的な例としては、軽質及び重質液体洗剤組成物、硬質表面洗浄用組成物（自動食器洗い機での使用を意図した組成物を含む食器用ケア組成物など）、洗濯に広く使用されている洗剤ジェル、漂白及び洗濯用添加剤、シャンプー、ボディソープ、並びに他のパーソナルケア組成物が挙げられる。組成物は、液体、ゲル、固体、単位用量物品、又はこれらの混合物の形態を採ることができる。液体組成物は、固体を含んでもよい。固体は、マイクロカプセル、ビーズ、ヌードル、若しくは１つ以上の真珠色のボール、又はこれらの混合物などの、粉末又は凝集物を含み得る。このような固体要素は、洗浄を通して、又は前処理、遅延、若しくは順次放出成分として技術的利点をもたらし得る。追加的又は代替的に、固体要素は、審美的効果を提供し得る。
【０１３８】
いくつかの態様では、組成物は、以下の成分の非限定的リスト、乳白剤、酸化防止剤；布地ケア有益剤、洗浄性酵素；沈着助剤；レオロジ変性剤；ビルダー；漂白剤（bleaching agent）；漂白剤前駆体；漂白触媒；キレート剤；香料、美白剤；真珠光沢剤；酵素安定剤系；アニオン性染料の定着剤を含む除去薬、アニオン性界面活性剤の錯化剤、及びこれらの混合物；光学増白剤又は蛍光剤；汚れ放出ポリマー、分散剤；抑泡剤、染料、着色剤；トルエンスルホネート、クメンスルホネート及びナフタレンスルホネートなどのヒドロトロープ；色斑；着色ビーズ、球体、又は押出物；泥柔軟化剤；腐食防止剤及び／又は変色防止剤、すすぎ補助剤のうちの１種類以上を含んでもよい。付加的又は代替的に、組成物は、界面活性剤及び／又は溶媒系を含んでもよい。
【０１３９】
組成物は、自由流動性の粒状又は粉末状の組成物などの、すくい取ることができる流動性組成物であってもよい。そのような場合、容器システム１は、容器システム１に適合し、かつすくい取り可能な組成物をすくい取るように適合されたすくいを更に備えてもよい。
【０１４０】
本明細書に記載される容器システム１は、物品の形態をなす組成物を含有するのに特に有用である。図２９は、単位用量物品６００の例を示す。物品６００は、成人の手によって把持されるのに好適であり得る。そのような物品６００は、約１０ｍｍ〜約１００ｍｍ、又は約２０ｍｍ〜約７０ｍｍ、又は約３５ｍｍ〜約５５ｍｍ、又は約４０ｍｍ〜約５０ｍｍの物品幅６０２を有し得る。物品６００が矩形の形状である場合、物品幅６０２は、２つの平行な側部間の最大距離として測定される。物品６００が可変幅を有する場合、物品幅６０２は、そのような幅の平均値である。そのような物品６００は、約１０ｍｍ〜約１００ｍｍ、又は約１５ｍｍ〜約７０ｍｍ、又は約２０ｍｍ〜約５０ｍｍ、又は約２５ｍｍ〜約３５ｍｍの高さ６０４を有し得る。物品６００が可変高さを有するとき、物品高さ６０４は、物品の最大高さで測定される。
【０１４１】
典型的には、本明細書に記載される容器システム１は、典型的には洗浄組成物、より典型的には洗濯洗剤又は硬質表面処理組成物の単位用量の組成物の（例えば、１５、２５、５０、６６、７７などの数量の）物品６００を含有するのに有用である。単位用量物品６００は、パウチであってもよい。パウチは、ＭｏｎｏＳｏｌ，ＬＬＣから入手可能なものを含む、ポリビニルアルコールフィルムなどの水溶性フィルム６２０から形成されてもよい。フィルム６２０は、組成物を区画に封入してもよい。パウチは、単一の区画であってもよく、又は複数の区画６３０、６４０、６５０を備えてもよい。
【０１４２】
パウチは、パウチの外部から視認可能な多様な色を有し得る様々な組成物を収容してもよい。多区画パウチは、それぞれ個々の区画に同じ又は異なる組成物を収容することができる。区画は、並んでいてもよく、又は重なり合ってもよく、例えば、１つ又は２つのより小さい区画６４０、６５０が、１つのより大きい区画６３０に重ねて置かれてもよい。この多区画機構は、不適合な成分（例えば、漂白剤と酵素）を含有する組成物を互いから物理的に分離し、又は仕切って保持するのに用いることができる。このような仕切りは、このような成分の耐用年数を延長する、及び／又は物理的不安定性を低減することができると考えられる。
【０１４３】
単位用量物品６００の組成物は、典型的には、低濃度の水を有する。いくつかの態様において、組成物６００は、組成物６００の約５０重量％未満、又は約３０重量％未満、又は約２０重量％未満、又は約１５重量％未満、又は約１２重量％未満、又は約１０重量％未満、又は約８重量％未満、又は約５重量％未満、又は約２重量％未満の水を含む。いくつかの態様において、組成物６００は、組成物６００の約０．１重量％〜約２０重量％、又は約１重量％〜約１２重量％、又は約５重量％〜約１０重量％の水を含む。
【０１４４】
方法
本開示は、本開示による容器システム１を組み立て、かつ使用する方法に関する。好適なシステム及びその特徴の説明は、上でより詳細に提供され、以下の方法に関して本明細書に完全に組み込まれる。
【０１４５】
本開示は、容器システム１を組み立てる方法に関し、ここで本開示による閉鎖システム３は、本開示による容器本体２に固定されている。
【０１４６】
容器システム１を組み立てる方法は、容器本体２を提供する工程を含んでもよく、容器本体２は、内部容積１７を画定する壁１０、１１、１２、１３、１４と、内部容積１７へのスルーアクセスを提供する開口部１６と、を備える。本方法はまた、閉鎖システム３を容器本体２に固定する工程を含んでもよく、閉鎖システム３は、閉鎖位置と開放位置との間で選択的に移動可能であるヒンジ付き蓋４を備える。蓋４は、閉鎖位置にあるときに内部容積１７へのアクセスを効果的に阻止してもよく、開放位置にあるときに内部容積１７へのアクセスを効果的に可能にしてもよい。
【０１４７】
本方法の閉鎖システム３は、係止システムを更に備えてもよい。係止システムは、本体２と非一体的であり、かつ蓋４と非一体的である、固定部材３０を備えてもよく、固定部材３０は、第１のボタン３１と、第１のボタン３１から離間して配置された第２のボタン３２と、を備える。第１及び第２のボタン３１、３２の各々は、第１の位置を有してもよい。第１及び第２のボタン３１、３２の各々は、第２の位置に移動可能であってもよい。第１及び第２のボタン３１、３２の各々は、それらのそれぞれの第１の位置に弾性的に付勢されてもよい。第１のボタン３１は、第１及び第２のボタン３１、３２の間に実質的に位置付けられている第１の係着部材５０に動作可能に接続されてもよい。第１の係着部材５０は、相補的な係止部材５２と選択的に係合可能であってもよい。蓋４は、第１の係止部材５０と相補的な係止部材５２とが係合されるときに、閉鎖位置に維持されてもよい。蓋４は、第１及び第２のボタン３１、３２の両方がそれぞれの第１の位置からそれぞれの第２の位置に移動されるときに、閉鎖位置から開放位置に移動可能であってもよく、このことが第１の係着部材５０と相補的な係着部材５２との係合解除をもたらす。固定部材は、第２の係着部材５１を更に備えてもよい。第２のボタン３２は、第２の係着部材５１に動作可能に接続されてもよい。
【０１４８】
容器システム１を組み立てる方法は、充填工程を更に含んでもよい。工程は、消費者製品（例えば、洗剤組成物を含有し得る水溶性単位用量物品６００）などの内容物を容器本体の内部容積に提供することを含んでもよい。内容物を提供することは、閉鎖システム３を容器本体２に固定する工程の前に行われてもよい。蓋４が開放位置にあるときに、容器本体２の開口部１６は、閉鎖システム３の開口部（例えば、フレーム開口部１３９）よりも相対的に大きくてもよいため、固定工程が行われる前に内容物を確認することは、有利であり得る。加えて、閉鎖システム３を固定する前に内容物を提供することは、閉鎖システム３が閉鎖位置で蓋４を提供され得ることを意味し、そのため、プロセスは、充填工程に続いて蓋４を閉鎖する追加の工程を必要としない。
【０１４９】
内容物を提供することはまた、閉鎖システム３を容器本体に固定する工程の後に行われてもよい。これは、容器システム１が組み立てられ、保管され、その後、製造業者に柔軟性を提供するために、後の時間及び／又は異なる位置で充填され得るという点で有利であり得る。
【０１５０】
本方法はまた、本開示の容器システム１及び閉鎖システム３を使用する方法にも関する。例えば、本開示は、容器システム１の内部容積１７にアクセスする方法に関する。容器システム１は、本明細書に記載される固定部材３０を含む。この方法は、フレーム５上に位置付けられ得る固定部材３０の第１及び第２のボタン３１、３２を、それぞれの第１の位置からそれぞれの第２の位置に移動させ、それによって、例えば、蓋４上の容器システム１上の他の場所に見られる相補的な係着部材５２、５３から固定部材３０の係着部材５０、５１を係合解除する工程を含む。係合解除により、蓋４を閉鎖位置から開放位置に移動させることが可能になる。弾性部材６１を備え得る付勢システム６０は、蓋４を開放位置に向けて付勢してもよい。第１及び第２のボタン３１、３２をそれらのそれぞれの第１の位置からそれらのそれぞれの第２の位置に移動させる工程は、例えば、各ボタン上に指を置いて内向きに押すことによって、片手で実行されてもよい。ボタンは、片手、好ましくは成人のヒトの手での使いやすさを容易にするようにサイズ決定、構成、及び位置付けられてもよい。
【０１５１】
組み合わせ
本開示の具体的に想到される組み合わせを、ここで以下のアルファベットを付した段落に記載する。これらの組み合わせは、事実上例示的なものであり、限定的であることを意図したものではない。
【０１５２】
Ａ．容器システムであって、内部容積を画定する壁、及び内部容積へのスルーアクセスを提供する開口部、を含む、容器本体と、開口部を覆う閉鎖位置と内部容積へのアクセスを可能にする開放位置との間で選択的に移動可能であるヒンジ付き蓋を含む閉鎖システムであって、少なくとも第１の係着部材が相補的な係着部材に係合されるときに、ヒンジ付き蓋は、閉鎖位置に維持される、閉鎖システムと、本体と非一体的であり、かつ蓋と非一体的である固定部材であって、固定部材が、第１のボタン、及び第１のボタンから離間して配置されているが、第１のボタンに接合されている、第２のボタンを含み、第１及び第２のボタンの各々が、それぞれの第１の位置に対して付勢され、各々が、それぞれの第２の位置へ移動可能であり、第１及び第２のボタンが、それらのそれぞれの第２の位置へ同時にあるときに、蓋は、少なくとも第１の係着部材が相補的な係着部材から係合解除されるため、閉鎖位置から開放位置へ移動することができる、固定部材と、を備える、容器システム。
【０１５３】
Ｂ．容器システムが、フレームを更に備え、フレームが、容器本体に接続可能であり、かつ蓋にヒンジ式に接続可能であり、固定部材が、フレームとも非一体的である、段落Ａに記載の容器システム。
【０１５４】
Ｃ．固定部材が、蓋、本体、又はフレーム、好ましくはフレームに固定されている、段落Ａ及びＢのいずれか１つに記載の容器システム。
【０１５５】
Ｄ．第１のボタン及び第２のボタンは、それぞれの第１の位置にあるときに、約５０ｍｍ〜約１５０ｍｍの距離だけ離間して配置されている、段落Ａ〜Ｃのいずれか１つに記載の容器システム。
【０１５６】
Ｅ．ボタンが各々それぞれの第２の位置にあるときの、第１及び第２のボタンの間の距離は、ボタンが各々それぞれの第１の位置にあるときの、ボタン間の距離よりも小さい、段落Ａ〜Ｄのいずれか１つに記載の容器システム。
【０１５７】
Ｆ．第１及び第２のボタンが両方とも、容器本体の前壁の付近にある、段落Ａ〜Ｅのいずれか１つに記載の容器システム。
【０１５８】
Ｇ．固定部材は、ヒンジ付き蓋が周りで回転可能に開放するヒンジ軸に対して実質的に平行である、段落Ａ〜Ｆのいずれか１つに記載の容器システム。
【０１５９】
Ｈ．ばねシステムが、第１及び第２のボタンをそれらのそれぞれの第１の位置に弾性的に付勢する、段落Ａ〜Ｇのいずれか１つに記載の容器システム。
【０１６０】
Ｉ．ばねシステムが、第１のボタンをその第１の位置に弾性的に付勢し、第２のボタンをその第１の位置に独立して弾性的に付勢する、段落Ａ〜Ｈのいずれか１つに記載の容器システム。
【０１６１】
Ｊ．ばねシステムが、固定部材の一部であり、好ましくは、固定部材の一体的にその一部である、段落Ａ〜Ｉのいずれか１つに記載の容器システム。
【０１６２】
Ｋ．ばねシステムが、可撓性プラスチックを含む、段落Ａ〜Ｇのいずれか１つに記載の容器システム。
【０１６３】
Ｌ．ばねシステムが、実質的に文字Ｍ、Ｎ、Ｓ、Ｕ、Ｖ、又はＷのうちのいずれかの形状である、段落Ａ〜Ｋのいずれか１つに記載の容器システム。
【０１６４】
Ｍ．第１及び第２のボタンを第１の位置及び第２の位置からそれぞれ移動させることが、蓋又は本体を変形させない、段落Ａ〜Ｌのいずれか１つに記載の容器システム。
【０１６５】
Ｎ．第２のボタンが、第２の係着部材に動作可能に接続されている、段落Ａ〜Ｍのいずれか１つに記載の容器システム。
【０１６６】
Ｏ．第１及び第２の部材が、外側縁部を各々含み、第１及び第２のボタンがそれらのそれぞれの第１の位置にあるときに、第１の係着部材の外側縁部と第２の係着部材の外側縁部との間の距離が、約１０ｍｍ〜約６０ｍｍ、好ましくは約１０ｍｍ〜約４０ｍｍ、より好ましくは約１０ｍｍ〜約２５ｍｍである、段落Ａ〜Ｎのいずれか１つに記載の容器システム。
【０１６７】
Ｐ．第１の係着部材が、第１のボタンと第２の係着部材との間に位置付けられている、段落Ａ〜Ｏのいずれか１つに記載の容器システム。
【０１６８】
Ｑ．第２の係着部材が、第１の係着部材と第２のボタンとの間に位置付けられている、段落Ａ〜Ｐのいずれか１つに記載の容器システム。
【０１６９】
Ｒ．第２の係着部材が、第２の相補的な係止部材と選択的に係合可能であり、第１のボタンをそのそれぞれの第１の位置からそのそれぞれの第２の位置へ移動させることが、第１の係止部材と第１の相補的な係止部材との係合解除をもたらし、第２のボタンをそのそれぞれの第１の位置からそのそれぞれの第２の位置へ移動させることが、第２の係止部材と第２の相補的な係止部材との係合解除をもたらす、段落Ａ〜Ｑのいずれか１つに記載の容器システム。
【０１７０】
Ｓ．固定部材が、第１のボタンと第１の係着部材との間に位置付けられている中間部分を含み、中間部分が、本体及び／又は閉鎖システムへの固定部材の接続を容易にするように構成されたコネクタ部分を含む、段落Ａ〜Ｒのいずれか１つに記載の容器システム。
【０１７１】
Ｔ．容器システムは、蓋が開放位置に向かって付勢される付勢システムを備える、段落Ａ〜Ｓのいずれか１つに記載の容器システム。
【０１７２】
Ｕ．付勢システムが、弾性部材を含む、段落Ａ〜Ｔのいずれか１つに記載の容器システム。
【０１７３】
Ｖ．閉鎖システム上、好ましくは蓋上に位置付けられている突出部は、蓋が閉鎖位置にあるときに弾性部材を弾性的に変形させる、段落Ａ〜Ｕのいずれか１つに記載の容器システム。
【０１７４】
Ｗ．内部容積が、消費者製品、殺虫剤、塗料、溶媒、工業用化学物質、工業用ハードウェア、薬剤、ピル、食品、及びこれらの組み合わせからなる群から選択される内容物、好ましくは消費者製品、より好ましくは家庭用ケア製品を含む、段落Ａ〜Ｖのいずれか１つに記載の容器システム。
【０１７５】
Ｘ．内容物が、家庭用ケア製品を含む消費者製品を含み、家庭用ケア製品が、布地ケア処理組成物、食器用洗剤組成物、又はこれらの混合物からなる群から選択される家庭用ケア組成物を含む、段落Ａ〜Ｗのいずれか１つに記載の容器システム。
【０１７６】
Ｙ．内容物が、水溶性単位用量物品の形態の消費者製品を含む、段落Ａ〜Ｘのいずれか１つに記載の容器システム。
【０１７７】
Ｚ．段落Ａ〜Ｙのいずれか１つに記載の容器システムを開放する方法であって、段落Ａ〜Ｘのいずれか１つによる容器システムを提供することと、ボタンがそれらのそれぞれの第２の位置に同時に位置付けられるように、第１のボタン及び第２のボタンを移動させることと、ヒンジ付き蓋を開放することと、任意に、内部容積内に保管された内容物にアクセスすることと、を含む、方法。
【０１７８】
ＡＡ．容器本体の開放端への取り付けに好適な閉鎖システムであって、閉鎖システムが、蓋、フレーム、及び固定部材を備え、フレームが、容器本体の開放端に取り付けられるように構成され、フレームが、外側周辺部及び内側周辺部を有し、内側周辺部が、フレーム開口部を画定し、蓋が、フレームにヒンジ式に接続され、蓋が、閉鎖位置と開放位置との間で選択的に移動可能であり、蓋が、閉鎖位置にあるときに、フレーム開口部を効果的に覆い、開放位置にあるときに、フレーム開口部を通るアクセスを効果的に可能にし、固定部材が、フレームと非一体的であり、かつ蓋と非一体的であり、固定部材が、フレーム及び／又は蓋のうちの少なくとも一方に接続され、固定部材が、第１のボタン、及び第１のボタンから離間して配置されている第２のボタンを含み、第１及び第２のボタンの各々が、それぞれの第１の位置からそれぞれの第２の位置へ移動可能であり、第１及び第２のボタンの各々が、それぞれの第１の位置を弾性的に付勢され、第１のボタンが、第１及び第２のボタンの間に実質的に位置付けられている第１の係着部材に動作可能に接続され、第１の係着部材が、相補的な係止部材に選択的に係合可能であり、第１の係止部材と相補的な係止部材とが係合されるときに、蓋は、閉鎖位置に維持され、第１及び第２のボタンの両方がそれぞれの第１の位置からそれぞれの第２の位置へ移動されるときに、蓋は、閉鎖位置から開放位置へ移動可能であり、このことが第１の係止部材と相補的な係止部材との係合解除をもたらす、閉鎖システム。
【０１７９】
ＢＢ．第２のボタンが、第１及び第２のボタン間に実質的に位置付けられている第２の係着部材に動作可能に接続され、第２の係着部材が、相補的な係止部材、好ましくは第２の相補的な係止部材に選択的に係合可能である、段落ＡＡに記載の閉鎖システム。
【０１８０】
ＣＣ．固定部材が、フレームに接続され、相補的な係止部材が、蓋上に位置付けられている、段落ＡＡ及びＢＢのいずれか１つに記載の閉鎖システム。
【０１８１】
ＤＤ．容器システムであって、内部容積を画定する壁、及び内部容積へのスルーアクセスを提供する開口部、を含む、容器本体と、閉鎖位置と開放位置との間で選択的に移動可能であるヒンジ付き蓋を含む閉鎖システムであって、蓋は、閉鎖位置にあるときに、内部容積へのアクセスを効果的に阻止し、開放位置にあるときに、内部容積へのアクセスを効果的に可能にする、閉鎖システムと、本体と非一体的であり、かつ蓋と非一体的である固定部材を含む係止システムであって、固定部材が、第１のボタン、及び第１のボタンから離間して配置されている第２のボタンを含み、第１及び第２のボタンの各々が、第１の位置を有し、第１及び第２のボタンの各々が、第２の位置へ移動可能であり、第１及び第２のボタンの各々が、それらのそれぞれの第１の位置に弾性的に付勢され、第１のボタンが、第１及び第２のボタンの間に実質的に位置付けられている第１の係着部材に動作可能に接続され、第１の係着部材が、相補的な係止部材に選択的に係合可能であり、第１の係着部材と相補的な係着部材とが係合されるときに、蓋は、閉鎖位置に維持され、第１及び第２のボタンの両方がそれぞれの第１の位置からそれぞれの第２の位置へ移動されるときに、蓋は、閉鎖位置から開放位置へ移動可能であり、このことが第１の係着部材と相補的な係止部材との係合解除をもたらす、係止システムと、を備える、容器システム。
【０１８２】
ＥＥ．容器システム（例えば、段落Ａ〜Ｚのいずれか１つに記載の容器システム）を組み立てる方法であって、方法が、容器本体を提供することであって、容器本体が、内部容積を画定する壁、及び内部容積へのスルーアクセスを提供する開口部、を含む、提供することと、閉鎖システムを容器本体に固定することであって、閉鎖システムが、閉鎖位置と開放位置との間で選択的に移動可能であるヒンジ付き蓋を含み、蓋が、閉鎖位置にあるときに内部容積へのアクセスを効果的に阻止し、開放位置にあるときに内部容積へのアクセスを効果的に可能にする、固定することと、を含み、閉鎖システムが、係止システムを更に含み、係止システムが、本体と非一体的であり、かつ蓋と非一体的である固定部材を含み、固定部材が、第１のボタン、及び第１のボタンから離間して配置されている第２のボタンを含み、第１及び第２のボタンの各々が、第１の位置を有し、第１及び第２のボタンの各々が、第２の位置へ移動可能であり、第１及び第２のボタンの各々が、それらのそれぞれの第１の位置に弾性的に付勢され、第１のボタンは、第１及び第２のボタンの間に実質的に位置付けられている第１の係着部材に動作可能に接続され、第１の係着部材は、相補的な係止部材に選択的に係合可能であり、第１の係止部材と相補的な係止部材とが係合されるときに、蓋は、閉鎖位置に維持され、第１及び第２のボタンの両方がそれぞれの第１の位置からそれぞれの第２の位置へ移動されるときに、蓋は、閉鎖位置から開放位置へ移動可能であり、このことが第１の係止部材と相補的な係止部材との係合解除をもたらす、方法。
【０１８３】
本明細書で開示する寸法及び値は、列挙された正確な数値に厳密に限定されるとして理解されるべきではない。代わりに、特に指示がない限り、このような各寸法は、列挙された値とその値を囲む機能的に同等な範囲との両方を意味することが意図されている。例えば、「４０ｍｍ」として開示される寸法は、「約４０ｍｍ」を意味することが意図される。
【０１８４】
相互参照される又は関連する全ての特許又は特許出願、及び本出願が優先権又はその利益を主張する任意の特許出願又は特許を含む、本出願に引用される全ての文書は、除外又は限定することを明言しない限りにおいて、参照によりその全容が本明細書に援用される。いかなる文献の引用も、本明細書中で開示又は特許請求されるいかなる発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１８５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020516551.tif 000003
【図２】
2020516551.tif 000004
【図３】
2020516551.tif 000005
【図４】
2020516551.tif 000006
【図５】
2020516551.tif 000007
【図６】
2020516551.tif 000008
【図７】
2020516551.tif 000009
【図８】
2020516551.tif 000010
【図９】
2020516551.tif 000011
【図１０】
2020516551.tif 000012
【図１１】
2020516551.tif 000013
【図１２】
2020516551.tif 000014
【図１３】
2020516551.tif 000015
【図１４】
2020516551.tif 000016
【図１５】
2020516551.tif 000017
【図１６】
2020516551.tif 000018
【図１７】
2020516551.tif 000019
【図１８】
2020516551.tif 000020
【図１９】
2020516551.tif 000021
【図２０】
2020516551.tif 000022
【図２１】
2020516551.tif 000023
【図２２】
2020516551.tif 000024
【図２３】
2020516551.tif 000025
【図２４】
2020516551.tif 000026
【図２５】
2020516551.tif 000027
【図２６】
2020516551.tif 000028
【図２７】
2020516551.tif 000029
【図２８】
2020516551.tif 000030
【図２９】
2020516551.tif 000031
【国際調査報告】
2020516551.tif 000032
2020516551.tif 000033
2020516551.tif 000034
2020516551.tif 000035